(57)【要約】  衣類処理設備用の制御方法及び衣類処理設備であって、衣類処理設備の制御方法は、環境温度を検出するステップと、環境温度に基づいて加熱モジュールのオン/オフ温度を修正するステップと、修正したオン/オフ温度に基づいて加熱モジュールの運行状況を制御するステップと、を含む。衣類処理設備は、加熱モジュール、温度センサ、温度修正モジュール、及び制御モジュールを含み、制御モジュールは、修正したオン/オフ温度に基づいて加熱モジュールの運行状況を制御する。具体的な動作状態に応じて加熱モジュールのオン/オフ温度を修正することで、加熱モジュールのオン又はオフなどの運行状況を正確に制御でき、衣類処理設備の乾燥効果が向上させる。【選択図】図１
2021529564.tif 000002
【特許請求の範囲】
【請求項１】
加熱モジュールを含む衣類処理設備用の制御方法であって、前記制御方法は、
環境温度を検出するステップと、
前記環境温度に基づいて前記加熱モジュールのオン/オフ温度を修正するステップと、
修正したオン/オフ温度に基づいて前記加熱モジュールの運行状況を制御するステップと、を含む、ことを特徴とする衣類処理設備用の制御方法。
【請求項２】
「前記環境温度に基づいて前記加熱モジュールのオン/オフ温度を修正する」というステップは、具体的に、
前記環境温度とプリセット温度閾値とを比較することと、
前記環境温度と前記プリセット温度閾値との比較結果に基づいて前記オン/オフ温度を修正することと、を含む、ことを特徴とする請求項1に記載の制御方法。
【請求項３】
「前記環境温度と前記プリセット温度閾値との比較結果に基づいて前記オン/オフ温度を修正する」というステップは、具体的に、
下記式に従って前記オン/オフ温度を修正することを含み、
T=a×T1+b
そのうち、Tは前記オン/オフ温度、T1は前記環境温度、aは第1の修正係数、bは第2の修正係数であり、また、
前記第1の修正係数aと前記第2の修正係数bの大きさは、前記環境温度T1の大きさに依存する、ことを特徴とする請求項2に記載の制御方法。
【請求項４】
前記オン/オフ温度Tは、オン温度Tonとオフ温度Toffを含み、前記プリセット温度閾値は、第1のプリセット温度閾値、第2のプリセット温度閾値及び第3のプリセット温度閾値を含み、
そのうち、前記第1のプリセット温度閾値は前記第2のプリセット温度閾値より小さく、前記第2のプリセット温度閾値は前記第3のプリセット温度閾値より小さい、ことを特徴とする請求項3に記載の制御方法。
【請求項５】
前記第1の修正係数a及び前記第2の修正係数bの大きさを、
前記環境温度T1が前記第1のプリセット温度閾値以下である場合に、前記オン温度Tonと前記オフ温度Toffとはいずれも変化せず、
前記環境温度T1が前記第1のプリセット温度閾値を超えるとともに前記第2のプリセット温度閾値以下である場合に、前記オン温度Tonと前記オフ温度Toffとはいずれも、前記環境温度T1に反比例し、
前記環境温度T1が前記第2のプリセット温度閾値を超えるとともに前記第3のプリセット温度閾値以下である場合に、前記オン温度Tonと前記オフ温度Toffとはいずれも、前記環境温度T1に反比例し、
前記環境温度T1が前記第3のプリセット温度閾値を超える場合に、前記オン温度Tonと前記オフ温度Toffとはいずれも変化しない、となるように設置する、ことを特徴とする請求項4に記載の制御方法。
【請求項６】
前記第1のプリセット温度閾値は10℃であり、
「前記環境温度と前記プリセット温度閾値との比較結果に基づいて前記オン/オフ温度を修正する」というステップは、具体的に、
前記環境温度T1が前記第1のプリセット温度閾値以下である場合、前記オン温度Tonに対応する第1の修正係数aと第2の修正係数bを、それぞれ0と110にし、前記オフ温度Toffに対応する第1の修正係数aと第2の修正係数bを、それぞれ0と150にすることを含む、ことを特徴とする請求項5に記載の制御方法。
【請求項７】
前記第1のプリセット温度閾値は10℃であり、前記第2のプリセット温度閾値は25℃であり、
「前記環境温度と前記プリセット温度閾値との比較結果に基づいて前記オン/オフ温度を修正する」というステップは、具体的に、
前記環境温度T1が前記第1のプリセット温度閾値を超えるとともに前記第2のプリセット温度閾値以下である場合、前記オン温度Tonに対応する第1の修正係数aと第2の修正係数bを、それぞれ‐1.2と122にし、前記オフ温度Toffに対応する第1の修正係数aと第2の修正係数bを、それぞれ‐2と170にすることを含む、ことを特徴とする請求項5に記載の制御方法。
【請求項８】
前記第2のプリセット温度閾値は25℃であり、前記第3のプリセット温度閾値は35℃であり、
「前記環境温度と前記プリセット温度閾値との比較結果に基づいて前記オン/オフ温度を修正する」というステップは、具体的に、
前記環境温度T1が前記第2のプリセット温度閾値を超えるとともに前記第3のプリセット温度閾値以下である場合、前記オン温度Tonに対応する第1の修正係数aと第2の修正係数bを、それぞれ‐2と142にし、前記オフ温度Toffに対応する第1の修正係数aと第2の修正係数bを、それぞれ‐0.5と132.5にすることを含む、ことを特徴とする請求項5に記載の制御方法。
【請求項９】
前記環境温度T1が前記第3のプリセット温度閾値を超える場合、前記オン温度Tonに対応する第1の修正係数aと第2の修正係数bを、それぞれ0と72にし、前記オフ温度Toffに対応する第1の修正係数aと第2の修正係数bを、それぞれ0と115にする、ことを特徴とする請求項8に記載の制御方法。
【請求項１０】
加熱モジュールを含む衣類処理設備であって、
環境温度を検出するための温度センサと、
前記温度センサにより検出された環境温度に基づいて前記加熱モジュールのオン/オフ温度を修正するための温度修正モジュールと、
修正したオン/オフ温度に基づいて前記加熱モジュールの運行状況を制御する制御モジュールと、を更に含む、ことを特徴とする衣類処理設備。
【請求項１１】
凝縮モジュール及び加熱モジュールを含む衣類処理設備用の制御方法であって、前記制御方法は、
環境温度並びに前記凝縮モジュールの冷却水温度を検出するステップと、
前記環境温度並びに前記冷却水温度に基づいて前記加熱モジュールのオン/オフ温度を修正するステップと、
修正したオン/オフ温度に基づいて前記加熱モジュールの運行状況を制御するステップと、を含む、ことを特徴とする衣類処理設備用の制御方法。
【請求項１２】
「前記環境温度並びに前記冷却水温度に基づいて前記加熱モジュールのオン/オフ温度を修正する」というステップは、具体的に、
前記環境温度並びに前記冷却水温度とプリセット温度閾値とを比較することと、
前記環境温度並びに前記冷却水温度と前記プリセット温度閾値との比較結果に基づいて前記オン/オフ温度を修正することと、を含む、ことを特徴とする請求項11に記載の制御方法。
【請求項１３】
「前記環境温度並びに前記冷却水温度と前記プリセット温度閾値との比較結果に基づいて前記オン/オフ温度を修正する」というステップは、具体的に、
下記式に従って前記オン/オフ温度を修正することを含み、
T=a×T1+b×T2+c×T1×T2+d
そのうち、Tは前記オン/オフ温度、T1は前記環境温度、T2は前記冷却水温度、aは第1の修正係数、bは第2の修正係数、cは第3の修正係数、dは第4の修正係数であり、また、
前記第1の修正係数a、前記第2の修正係数b、前記第3の修正係数cと前記第4の修正係数dの大きさは、前記環境温度T1と前記冷却水温度T2の大きさに依存する、ことを特徴とする請求項12に記載の制御方法。
【請求項１４】
前記オン/オフ温度Tは、オン温度Tonとオフ温度Toffを含み、前記プリセット温度閾値は、第1のプリセット環境温度閾値、第2のプリセット環境温度閾値、第1のプリセット冷却水温度閾値、及び第2のプリセット冷却水温度閾値を含み、
そのうち、前記第1のプリセット環境温度閾値は前記第2のプリセット環境温度閾値より小さく、前記第1のプリセット冷却水温度閾値は前記第2のプリセット冷却水温度閾値より小さい、ことを特徴とする請求項13に記載の制御方法。
【請求項１５】
前記第1の修正係数a、前記第2の修正係数b、前記第3の修正係数cと前記第4の修正係数dの大きさを、
前記環境温度T1が前記第1のプリセット環境温度閾値以下であるとともに前記冷却水温度T2が前記第1のプリセット冷却水温度閾値以下である場合に、前記オン温度Tonと前記オフ温度Ｔoffとはいずれも変化せず、
前記環境温度T1が前記第1のプリセット環境温度閾値以下であるとともに前記冷却水温度T2が前記第1のプリセット冷却水温度閾値を超える場合に、前記オン温度Tonと前記オフ温度Ｔoffとはいずれも、前記環境温度T1と前記冷却水温度T2に反比例し、
前記環境温度T1が前記第1のプリセット環境温度閾値を超えるとともに前記第2のプリセット環境温度閾値以下である場合に、前記オン温度Tonと前記オフ温度Ｔoffとはいずれも、前記環境温度T1と前記冷却水温度T2に反比例し、
前記環境温度T1が前記第2のプリセット環境温度閾値を超えるとともに前記冷却水温度T2が前記第2のプリセット冷却水温度閾値以下である場合に、前記オン温度Tonと前記オフ温度Ｔoffとはいずれも、前記環境温度T1と前記冷却水温度T2に反比例し、
前記環境温度T1が前記第2のプリセット環境温度閾値を超えるとともに前記冷却水温度T2が前記第2のプリセット冷却水温度閾値を超える場合に、前記オン温度Tonと前記オフ温度Ｔoffとはいずれも変化しない、となるように設置する、ことを特徴とする請求項14に記載の制御方法。
【請求項１６】
前記第1のプリセット環境温度閾値は10℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オン/オフ温度を修正する」というステップは、具体的に、
前記環境温度T1が前記第1のプリセット環境温度閾値以下であるとともに前記冷却水温度T2が前記第1のプリセット冷却水温度閾値以下である場合、前記オン温度Tonに対応する第1の修正係数a、第2の修正係数b、第3の修正係数cと第4の修正係数dを、それぞれ0、0、0、110にし、前記オフ温度Ｔoffに対応する第1の修正係数a、第2の修正係数b、第3の修正係数cと第4の修正係数dを、それぞれ0、0、0、170にし、
前記環境温度T1が前記第1のプリセット環境温度閾値以下であるとともに、前記冷却水温度T2が前記第1のプリセット冷却水温度閾値を超え、且つ前記第2のプリセット冷却水温度閾値以下である場合、前記オン温度Tonに対応する第1の修正係数a、第2の修正係数b、第3の修正係数cと第4の修正係数dを、それぞれ‐0.2、‐0.2、0、114にし、前記オフ温度Ｔoffに対応する第1の修正係数a、第2の修正係数b、第3の修正係数cと第4の修正係数dを、それぞれ‐0.2、‐0.2、0、170にし、
前記環境温度T1が前記第1のプリセット環境温度閾値以下であるとともに前記冷却水温度T2が前記第2のプリセット冷却水温度閾値を超える場合、前記オン温度Tonに対応する第1の修正係数a、第2の修正係数b、第3の修正係数cと第4の修正係数dを、それぞれ‐0.1、‐0.3、0、110にし、前記オフ温度Ｔoffに対応する第1の修正係数a、第2の修正係数b、第3の修正係数cと第4の修正係数dを、それぞれ‐0.1、‐0.3、0、160にする、ことを含む、ことを特徴とする請求項15に記載の制御方法。
【請求項１７】
前記第1のプリセット環境温度閾値は10℃であり、前記第2のプリセット環境温度閾値は35℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オン/オフ温度を修正する」というステップは、具体的に、
前記環境温度T1が前記第1のプリセット環境温度閾値を超え、且つ前記第2のプリセット環境温度閾値以下であるとともに、前記冷却水温度T2が前記第1のプリセット冷却水温度閾値以下である場合、前記オン温度Tonに対応する第1の修正係数a、第2の修正係数b、第3の修正係数cと第4の修正係数dを、それぞれ‐0.3、‐0.1、0、114にし、前記オフ温度Ｔoffに対応する第1の修正係数a、第2の修正係数b、第3の修正係数cと第4の修正係数dを、それぞれ‐0.3、‐0.1、0、160にし、
前記環境温度T1が前記第1のプリセット環境温度閾値を超え、且つ前記第2のプリセット環境温度閾値以下であるとともに、前記冷却水温度T2が前記第1のプリセット冷却水温度閾値を超え且つ前記第2のプリセット冷却水温度閾値以下である場合、前記オン温度Tonに対応する第1の修正係数a、第2の修正係数b、第3の修正係数cと第4の修正係数dを、それぞれ‐0.3、‐0.3、0、112にし、前記オフ温度Ｔoffに対応する第1の修正係数a、第2の修正係数b、第3の修正係数cと第4の修正係数dを、それぞれ‐0.3、‐0.3、0、150にし、
前記環境温度T1が前記第1のプリセット環境温度閾値を超え且つ前記第2のプリセット環境温度閾値以下であるとともに、前記冷却水温度T2が前記第2のプリセット冷却水温度閾値を超える場合、前記オン温度Tonに対応する第1の修正係数a、第2の修正係数b、第3の修正係数cと第4の修正係数dを、それぞれ‐0.4、‐0.2、0、110にし、前記オフ温度Ｔoffに対応する第1の修正係数a、第2の修正係数b、第3の修正係数cと第4の修正係数dを、それぞれ‐0.4、‐0.2、0、140にする、ことを含む、ことを特徴とする請求項15に記載の制御方法。
【請求項１８】
前記第2のプリセット環境温度閾値は35℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オン/オフ温度を修正する」というステップは、具体的に、
前記環境温度T1が前記第2のプリセット環境温度閾値を超えるとともに前記冷却水温度T2が前記第1のプリセット冷却水温度閾値以下である場合、前記オン温度Tonに対応する第1の修正係数a、第2の修正係数b、第3の修正係数cと第4の修正係数dを、それぞれ‐0.3、‐0.1、0、114にし、前記オフ温度Ｔoffに対応する第1の修正係数a、第2の修正係数b、第3の修正係数cと第4の修正係数dを、それぞれ‐0.3、‐0.1、0、160にし、
前記環境温度T1が前記第2のプリセット環境温度閾値を超えるとともに、前記冷却水温度T2が前記第1のプリセット冷却水温度閾値を超え且つ前記第2のプリセット冷却水温度閾値以下である場合、前記オン温度Tonに対応する第1の修正係数a、第2の修正係数b、第3の修正係数cと第4の修正係数dを、それぞれ‐0.4、‐0.2、0、110にし、前記オフ温度Ｔoffに対応する第1の修正係数a、第2の修正係数b、第3の修正係数cと第4の修正係数dを、それぞれ‐0.4、‐0.2、0、140にする、ことを含む、ことを特徴とする請求項15に記載の制御方法。
【請求項１９】
前記環境温度T1が前記第2のプリセット環境温度閾値を超えるとともに前記冷却水温度T2が前記第2のプリセット冷却水温度閾値を超える場合、前記オン温度Tonに対応する第1の修正係数a、第2の修正係数b、第3の修正係数cと第4の修正係数dを、それぞれ0、0、0、75にし、前記オフ温度Ｔoffに対応する第1の修正係数a、第2の修正係数b、第3の修正係数cと第4の修正係数dを、それぞれ0、0、0、110にする、ことを特徴とする請求項18に記載の制御方法。
【請求項２０】
凝縮モジュール及び加熱モジュールを含む衣類処理設備であって、
環境温度並びに前記凝縮モジュールの冷却水温度を検出するための温度センサと、
前記温度センサにより検出された環境温度並びに冷却水温度に基づいて前記加熱モジュールのオン/オフ温度を修正するための温度修正モジュールと、
修正したオン/オフ温度に基づいて前記加熱モジュールの運行状況を制御する制御モジュールと、を更に含む、ことを特徴とする衣類処理設備。
【請求項２１】
凝縮モジュール及び加熱モジュールを含む衣類処理設備用の制御方法であって、前記制御方法は、
前記凝縮モジュールの冷却水温度を検出するステップと、
前記冷却水温度に基づいて前記加熱モジュールのオン/オフ温度を修正するステップと、
修正したオン/オフ温度に基づいて前記加熱モジュールの運行状況を制御するステップと、を含む、ことを特徴とする衣類処理設備用の制御方法。
【請求項２２】
「前記冷却水温度に基づいて前記加熱モジュールのオン/オフ温度を修正する」というステップは、具体的に、
前記冷却水温度とプリセット温度閾値とを比較することと、
前記冷却水温度と前記プリセット温度閾値との比較結果に基づいて前記オン/オフ温度を修正することと、を含む、ことを特徴とする請求項21に記載の制御方法。
【請求項２３】
「前記冷却水温度と前記プリセット温度閾値との比較結果に基づいて前記オン/オフ温度を修正する」というステップは、具体的に、
下記式に従って前記オン/オフ温度を修正することを含み、
T=a×T1+b
そのうち、Tは前記オン/オフ温度、T1は前記冷却水温度、aは第1の修正係数、bは第2の修正係数であり、また、
前記第1の修正係数aと前記第2の修正係数bの大きさは、前記冷却水温度T1の大きさに依存する、ことを特徴とする請求項22に記載の制御方法。
【請求項２４】
前記オン/オフ温度Tは、オン温度Tonとオフ温度Toffを含み、前記プリセット温度閾値は、第1のプリセット温度閾値、第2のプリセット温度閾値及び第3のプリセット温度閾値を含み、
そのうち、前記第1のプリセット温度閾値は前記第2のプリセット温度閾値より小さく、前記第2のプリセット温度閾値は前記第3のプリセット温度閾値より小さい、ことを特徴とする請求項23に記載の制御方法。
【請求項２５】
前記第1の修正係数a及び前記第2の修正係数bの大きさを、
前記冷却水温度T1が前記第1のプリセット温度閾値以下である場合に、前記オン温度Tonと前記オフ温度Toffとはいずれも変化せず、
前記冷却水温度T1が前記第1のプリセット温度閾値を超えるとともに前記第2のプリセット温度閾値以下である場合に、前記オン温度Tonと前記オフ温度Toffとはいずれも、前記冷却水温度T1に反比例し、
前記冷却水温度T1が前記第2のプリセット温度閾値を超えるとともに前記第3のプリセット温度閾値以下である場合に、前記オン温度Tonと前記オフ温度Toffとはいずれも、前記冷却水温度T1に反比例し、
前記冷却水温度T1が前記第3のプリセット温度閾値を超える場合に、前記オン温度Tonと前記オフ温度Toffとはいずれも変化しない、となるように設置する、ことを特徴とする請求項24に記載の制御方法。
【請求項２６】
前記第1のプリセット温度閾値は10℃であり、
「前記冷却水温度と前記プリセット温度閾値との比較結果に基づいて前記オン/オフ温度を修正する」というステップは、具体的に、
前記冷却水温度T1が前記第1のプリセット温度閾値以下である場合、前記オン温度Tonに対応する第1の修正係数aと第2の修正係数bを、それぞれ0と110にし、前記オフ温度Toffに対応する第1の修正係数aと第2の修正係数bを、それぞれ0と170にすることを含む、ことを特徴とする請求項25に記載の制御方法。
【請求項２７】
前記第1のプリセット温度閾値は10℃であり、前記第2のプリセット温度閾値は25℃であり、
「前記冷却水温度と前記プリセット温度閾値との比較結果に基づいて前記オン/オフ温度を修正する」というステップは、具体的に、
前記冷却水温度T1が前記第1のプリセット温度閾値を超えるとともに前記第2のプリセット温度閾値以下である場合、前記オン温度Tonに対応する第1の修正係数aと第2の修正係数bを、それぞれ‐1.2と122にし、前記オフ温度Toffに対応する第1の修正係数aと第2の修正係数bを、それぞれ‐2と170にすることを含む、ことを特徴とする請求項25に記載の制御方法。
【請求項２８】
前記第2のプリセット温度閾値は25℃であり、前記第3のプリセット温度閾値は35℃であり、
「前記冷却水温度と前記プリセット温度閾値との比較結果に基づいて前記オン/オフ温度を修正する」というステップは、具体的に、
前記冷却水温度T1が前記第2のプリセット温度閾値を超えるとともに前記第3のプリセット温度閾値以下である場合、前記オン温度Tonに対応する第1の修正係数aと第2の修正係数bを、それぞれ‐2と142にし、前記オフ温度Toffに対応する第1の修正係数aと第2の修正係数bを、それぞれ‐0.5と132.5にすることを含む、ことを特徴とする請求項25に記載の制御方法。
【請求項２９】
前記第3のプリセット温度閾値は35℃であり、
前記冷却水温度T1が前記第3のプリセット温度閾値を超える場合、前記オン温度Tonに対応する第1の修正係数aと第2の修正係数bを、それぞれ0と72にし、前記オフ温度Toffに対応する第1の修正係数aと第2の修正係数bを、それぞれ0と115にする、ことを特徴とする請求項25に記載の制御方法。
【請求項３０】
凝縮モジュール及び加熱モジュールを含む衣類処理設備であって、
前記凝縮モジュールの冷却水温度を検出するための温度センサと、
前記温度センサにより検出された冷却水温度に基づいて前記加熱モジュールのオン/オフ温度を修正するための温度修正モジュールと、
修正したオン/オフ温度に基づいて前記加熱モジュールの運行状況を制御する制御モジュールと、を更に含む、ことを特徴とする衣類処理設備。
【発明の詳細な説明】
【技術分野】
【０００１】
本発明は、衣類処理設備の技術分野に関するもので、具体的には、衣類処理設備用の制御方法及び衣類処理設備が提供される。
【背景技術】
【０００２】
科学技術の進歩に伴い、人間生活の自動化レベルはますます高まり、日常の家事労働において、機械が次第に人力に取って代わる。衣類処理設備は、日常生活に常用される家電機器として、人々の生活に極めて大きな利便性を与える。衣類処理設備は、主に、衣類洗濯設備と、衣類乾燥設備と、一体型洗濯乾燥設備と、を含み、洗濯方式に従って分類されると、一体型洗濯乾燥設備は、乾燥機能を有する一体型洗濯乾燥機と、乾燥機能を有するドラム洗濯機とに大別される。従来技術において、ドラム洗濯機では、乾燥システムの加熱モジュールによって空気が加熱され、加熱された空気を送風機で洗濯槽内に送り込むことで、熱風により洗濯槽内の衣類に作用して洗濯槽内の衣類が持っている水分を高温高湿の蒸気となるように蒸発させて、高温高湿の蒸気が熱交換器に吸い込まれて、熱交換器で冷媒と熱交換、凝縮して凝縮水となり、凝縮水が熱交換器の内壁に沿って流出する。この過程で、乾燥システムは外部環境と熱交換し、外部環境の温度が高いほど、乾燥システムと外部環境との交換熱量が相対的に少なくなり、乾燥システム内に多くの熱が入り込んで、乾燥システムの凝縮能力が加熱能力に対して弱くなることにより、乾燥システムの乾燥プログラムを自動的に終了させる判定精度が低下し、ひいては衣類がまだ乾燥していないのに乾燥プログラムが早めに終了してしまう場合もあり、ユーザの使用体験に大きく影響する。
【発明の概要】
【発明が解決しようとする課題】
【０００３】
上記課題を解決するために、従来の技術では、乾燥システムの乾燥ダクトに温度センサを設け、この温度センサは外部環境の温度を間接的に反映できるため、温度センサが検知した温度に基づいて加熱モジュールのオン又はオフを制御できる。しかしながら、従来の制御方法では、温度センサの検出温度が不正確という問題を考慮しておらず、乾燥プログラムが運行する過程において、1つの乾燥プログラムの運行が完了した後に次の乾燥プログラムが運行すると、前の乾燥プログラムの影響を受けて次の乾燥プログラムが運行する際に温度センサによって検出される温度が高くなり、加熱モジュールをオン又はオフにする必要があるか否かを正確に判定できず、ユーザの使用体験に大きく影響する。
【０００４】
従って、上述課題を解決するために、当分野では、新規の衣類処理設備用の制御方法及び衣類処理設備が必要とされている。
【課題を解決するための手段】
【０００５】
従来技術における上記課題を解決するために、即ち、従来の衣類処理設備では、加熱モジュールをオン又はオフにする必要があるか否かを正確に判定できないという問題を解決するために、本発明の技術案1は、加熱モジュールを含む衣類処理設備用の制御方法を提供しており、制御方法は、環境温度を検出するステップと、環境温度に基づいて加熱モジュールのオン/オフ温度を修正するステップと、修正したオン/オフ温度に基づいて加熱モジュールの運行状況を制御するステップと、を含む。
【０００６】
上記制御方法の好ましい技術案において、「環境温度に基づいて加熱モジュールのオン/オフ温度を修正する」というステップは、具体的に、環境温度とプリセット温度閾値とを比較することと、環境温度とプリセット温度閾値との比較結果に基づいてオン/オフ温度を修正することと、を含む。
【０００７】
上記制御方法の好ましい技術案において、「環境温度とプリセット温度閾値との比較結果に基づいてオン/オフ温度を修正する」というステップは、具体的に、式T=a×T1+bに従ってオン/オフ温度を修正することを含み、そのうち、Tはオン/オフ温度、T1は環境温度、aは第1の修正係数、bは第2の修正係数であり、また、第1の修正係数aと第2の修正係数bの大きさは、環境温度T1の大きさに依存する。
【０００８】
上記制御方法の好ましい技術案において、オン/オフ温度Tは、オン温度Tonとオフ温度Toffを含み、プリセット温度閾値は、第1のプリセット温度閾値、第2のプリセット温度閾値及び第3のプリセット温度閾値を含み、そのうち、第1のプリセット温度閾値は、第2のプリセット温度閾値より小さく、第2のプリセット温度閾値は、第3のプリセット温度閾値より小さい。
【０００９】
上記制御方法の好ましい技術案において、第1の修正係数a及び第2の修正係数bの大きさを、環境温度T1が第1のプリセット温度閾値以下である場合に、オン温度Tonとオフ温度Toffとはいずれも変化しない；環境温度T1が第1のプリセット温度閾値を超えるとともに第2のプリセット温度閾値以下である場合に、オン温度Tonとオフ温度Toffとはいずれも、環境温度T1に反比例する；環境温度T1が第2のプリセット温度閾値を超えるとともに第3のプリセット温度閾値以下である場合に、オン温度Tonとオフ温度Toffとはいずれも、環境温度T1に反比例する；環境温度T1が第3のプリセット温度閾値を超える場合に、オン温度Tonとオフ温度Toffとはいずれも変化しない、となるように設置する。
【００１０】
上記制御方法の好ましい技術案では、第1のプリセット温度閾値は10℃であり、「環境温度とプリセット温度閾値との比較結果に基づいてオン/オフ温度を修正する」というステップは、具体的に、環境温度T1が第1のプリセット温度閾値以下である場合、オン温度Tonに対応する第1の修正係数aと第2の修正係数bを、それぞれ0と110にし、オフ温度Toffに対応する第1の修正係数aと第2の修正係数bを、それぞれ0と150にすることを含む。
【００１１】
上記制御方法の好ましい技術案では、第1のプリセット温度閾値は10℃であり、第2のプリセット温度閾値は25℃であり、「環境温度とプリセット温度閾値との比較結果に基づいてオン/オフ温度を修正する」というステップは、具体的に、環境温度T1が第1のプリセット温度閾値を超えるとともに第2のプリセット温度閾値以下である場合、オン温度Tonに対応する第1の修正係数aと第2の修正係数bを、それぞれ‐1.2と122にし、オフ温度Toffに対応する第1の修正係数aと第2の修正係数bを、それぞれ‐2と170にすることを含む。
【００１２】
上記制御方法の好ましい技術案では、第2のプリセット温度閾値は25℃であり、第3のプリセット温度閾値は35℃であり、「環境温度とプリセット温度閾値との比較結果に基づいてオン/オフ温度を修正する」というステップは、具体的に、環境温度T1が第2のプリセット温度閾値を超えるとともに第3のプリセット温度閾値以下である場合、オン温度Tonに対応する第1の修正係数aと第2の修正係数bを、それぞれ‐2と142にし、オフ温度Toffに対応する第1の修正係数aと第2の修正係数bを、それぞれ‐0.5と132.5にすることを含む。
【００１３】
上記制御方法の好ましい技術案では、環境温度T1が第3のプリセット温度閾値を超える場合、オン温度Tonに対応する第1の修正係数aと第2の修正係数bを、それぞれ0と72にし、オフ温度Toffに対応する第1の修正係数aと第2の修正係数bを、それぞれ0と115にする。
【００１４】
また、本発明の技術案1では、加熱モジュールとともに、環境温度を検出するための温度センサと、温度センサにより検出された環境温度に基づいて加熱モジュールのオン/オフ温度を修正するための温度修正モジュールと、修正したオン/オフ温度に基づいて加熱モジュールの運行状況を制御する制御モジュールと、を含む衣類処理設備を更に提供する。
【００１５】
当業者が理解出来ることは、本発明の制御方法の好ましい技術案において、環境温度を検出し、環境温度に基づいて加熱モジュールのオン/オフ温度を修正し、修正したオン/オフ温度に基づいて加熱モジュールの運行状況を制御する。従来のような検出された環境温度により直接に加熱モジュールの運行状況を制御する技術案と比べると、本発明は、加熱モジュールの運行状況を制御する過程中、検出された環境温度によって加熱モジュールのオン/オフ温度を修正することで、温度センサの検出誤差によるオン/オフ温度判定の正確性への影響を大きく低減し、加熱モジュールのオン/オフ温度を正確に判定でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００１６】
更に、環境温度とプリセット温度閾値とを比較し、環境温度とプリセット温度閾値との比較結果に基づいてオン/オフ温度を修正するとともに、式T=a×T1+bに従ってオン/オフ温度を修正し、そのうち、第1の修正係数aと第2の修正係数bの大きさが環境温度T1の大きさに依存することで、加熱モジュールのオン/オフ温度を正確に修正でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００１７】
本発明の技術案2は、凝縮モジュール及び加熱モジュールを含む衣類処理設備用の制御方法を提供しており、制御方法は、環境温度並びに凝縮モジュールの冷却水温度を検出するステップと、環境温度並びに冷却水温度に基づいて加熱モジュールのオン/オフ温度を修正するステップと、修正したオン/オフ温度に基づいて加熱モジュールの運行状況を制御するステップと、を含む。
【００１８】
上記制御方法の好ましい技術案において、「環境温度並びに冷却水温度に基づいて加熱モジュールのオン/オフ温度を修正する」というステップは、具体的に、環境温度並びに冷却水温度とプリセット温度閾値とを比較することと、環境温度並びに冷却水温度とプリセット温度閾値との比較結果に基づいてオン/オフ温度を修正することと、を含む。
【００１９】
上記制御方法の好ましい技術案において、「環境温度並びに冷却水温度とプリセット温度閾値との比較結果に基づいてオン/オフ温度を修正する」というステップは、具体的に、式T=a×T1+b×T2+c×T1×T2+dに従ってオン/オフ温度を修正することを含み、そのうち、Tはオン/オフ温度、T1は環境温度、T2は冷却水温度、aは第1の修正係数、bは第2の修正係数、cは第3の修正係数、dは第4の修正係数であり、また、第1の修正係数a、第2の修正係数b、第3の修正係数cと第4の修正係数dの大きさは、環境温度T1と冷却水温度T2の大きさに依存する。
【００２０】
上記制御方法の好ましい技術案において、オン/オフ温度Tは、オン温度Tonとオフ温度Toffを含み、プリセット温度閾値は、第1のプリセット環境温度閾値、第2のプリセット環境温度閾値、第1のプリセット冷却水温度閾値、及び第2のプリセット冷却水温度閾値を含み、そのうち、第1のプリセット環境温度閾値は、第2のプリセット環境温度閾値より小さく、第1のプリセット冷却水温度閾値は、第2のプリセット冷却水温度閾値より小さい。
【００２１】
上記制御方法の好ましい技術案において、第1の修正係数a、第2の修正係数b、第3の修正係数cと第4の修正係数dの大きさを、環境温度T1が第1のプリセット環境温度閾値以下であるとともに冷却水温度T2が第1のプリセット冷却水温度閾値以下である場合に、オン温度Tonとオフ温度Ｔoffとはいずれも変化しない；環境温度T1が第1のプリセット環境温度閾値以下であるとともに冷却水温度T2が第1のプリセット冷却水温度閾値を超える場合に、オン温度Tonとオフ温度Ｔoffとはいずれも、環境温度T1と冷却水温度T2に反比例する；環境温度T1が第1のプリセット環境温度閾値を超えるとともに第2のプリセット環境温度閾値以下である場合に、オン温度Tonとオフ温度Ｔoffとはいずれも、環境温度T1と冷却水温度T2に反比例する；環境温度T1が第2のプリセット環境温度閾値を超えるとともに冷却水温度T2が第2のプリセット冷却水温度閾値以下である場合に、オン温度Tonとオフ温度Ｔoffとはいずれも、環境温度T1と冷却水温度T2に反比例する；環境温度T1が第2のプリセット環境温度閾値を超えるとともに冷却水温度T2が第2のプリセット冷却水温度閾値を超える場合に、オン温度Tonとオフ温度Ｔoffとはいずれも変化しない、となるように設置する。
【００２２】
上記制御方法の好ましい技術案において、第1のプリセット環境温度閾値は10℃であり、第1のプリセット冷却水温度閾値は10℃であり、第2のプリセット冷却水温度閾値は35℃であり、「環境温度並びに冷却水温度とプリセット温度閾値との比較結果に基づいてオン/オフ温度を修正する」というステップは、具体的に、環境温度T1が第1のプリセット環境温度閾値以下であるとともに冷却水温度T2が第1のプリセット冷却水温度閾値以下である場合、オン温度Tonに対応する第1の修正係数a、第2の修正係数b、第3の修正係数cと第4の修正係数dを、それぞれ0、0、0、110にし、オフ温度Ｔoffに対応する第1の修正係数a、第2の修正係数b、第3の修正係数cと第4の修正係数dを、それぞれ0、0、0、170にする；環境温度T1が第1のプリセット環境温度閾値以下であるとともに、冷却水温度T2が第1のプリセット冷却水温度閾値を超え且つ第2のプリセット冷却水温度閾値以下である場合、オン温度Tonに対応する第1の修正係数a、第2の修正係数b、第3の修正係数cと第4の修正係数dを、それぞれ‐0.2、‐0.2、0、114にし、オフ温度Ｔoffに対応する第1の修正係数a、第2の修正係数b、第3の修正係数cと第4の修正係数dを、それぞれ‐0.2、‐0.2、0、170にする；環境温度T1が第1のプリセット環境温度閾値以下であるとともに冷却水温度T2が第2のプリセット冷却水温度閾値を超える場合、オン温度Tonに対応する第1の修正係数a、第2の修正係数b、第3の修正係数cと第4の修正係数dを、それぞれ‐0.1、‐0.3、0、110にし、オフ温度Ｔoffに対応する第1の修正係数a、第2の修正係数b、第3の修正係数cと第4の修正係数dを、それぞれ‐0.1、‐0.3、0、160にする；ことを含む。
【００２３】
上記制御方法の好ましい技術案において、第1のプリセット環境温度閾値は10℃であり、第2のプリセット環境温度閾値は35℃であり、第1のプリセット冷却水温度閾値は10℃であり、第2のプリセット冷却水温度閾値は35℃であり、「環境温度並びに冷却水温度とプリセット温度閾値との比較結果に基づいてオン/オフ温度を修正する」というステップは、具体的に、環境温度T1が第1のプリセット環境温度閾値を超え且つ第2のプリセット環境温度閾値以下であるとともに、冷却水温度T2が第1のプリセット冷却水温度閾値以下である場合、オン温度Tonに対応する第1の修正係数a、第2の修正係数b、第3の修正係数cと第4の修正係数dを、それぞれ‐0.3、‐0.1、0、114にし、オフ温度Ｔoffに対応する第1の修正係数a、第2の修正係数b、第3の修正係数cと第4の修正係数dを、それぞれ‐0.3、‐0.1、0、160にする；環境温度T1が第1のプリセット環境温度閾値を超え且つ第2のプリセット環境温度閾値以下であるとともに、冷却水温度T2が第1のプリセット冷却水温度閾値を超え且つ第2のプリセット冷却水温度閾値以下である場合、オン温度Tonに対応する第1の修正係数a、第2の修正係数b、第3の修正係数cと第4の修正係数dを、それぞれ‐0.3、‐0.3、0、112にし、オフ温度Ｔoffに対応する第1の修正係数a、第2の修正係数b、第3の修正係数cと第4の修正係数dを、それぞれ‐0.3、‐0.3、0、150にする；環境温度T1が第1のプリセット環境温度閾値を超え且つ第2のプリセット環境温度閾値以下であるとともに、冷却水温度T2が第2のプリセット冷却水温度閾値を超える場合、オン温度Tonに対応する第1の修正係数a、第2の修正係数b、第3の修正係数cと第4の修正係数dを、それぞれ‐0.4、‐0.2、0、110にし、オフ温度Ｔoffに対応する第1の修正係数a、第2の修正係数b、第3の修正係数cと第4の修正係数dを、それぞれ‐0.4、‐0.2、0、140にする；ことを含む。
【００２４】
上記制御方法の好ましい技術案において、第2のプリセット環境温度閾値は35℃であり、第1のプリセット冷却水温度閾値は10℃であり、第2のプリセット冷却水温度閾値は35℃であり、「環境温度並びに冷却水温度とプリセット温度閾値との比較結果に基づいてオン/オフ温度を修正する」というステップは、具体的に、環境温度T1が第2のプリセット環境温度閾値を超えるとともに冷却水温度T2が第1のプリセット冷却水温度閾値以下である場合、オン温度Tonに対応する第1の修正係数a、第2の修正係数b、第3の修正係数cと第4の修正係数dを、それぞれ‐0.3、‐0.1、0、114にし、オフ温度Ｔoffに対応する第1の修正係数a、第2の修正係数b、第3の修正係数cと第4の修正係数dを、それぞれ‐0.3、‐0.1、0、160にする；環境温度T1が第2のプリセット環境温度閾値を超えるとともに、冷却水温度T2が第1のプリセット冷却水温度閾値を超え且つ第2のプリセット冷却水温度閾値以下である場合、オン温度Tonに対応する第1の修正係数a、第2の修正係数b、第3の修正係数cと第4の修正係数dを、それぞれ‐0.4、‐0.2、0、110にし、オフ温度Ｔoffに対応する第1の修正係数a、第2の修正係数b、第3の修正係数cと第4の修正係数dを、それぞれ‐0.4、‐0.2、0、140にする；ことを含む。
【００２５】
上記制御方法の好ましい技術案において、環境温度T1が第2のプリセット環境温度閾値を超えるとともに冷却水温度T2が第2のプリセット冷却水温度閾値を超える場合、オン温度Tonに対応する第1の修正係数a、第2の修正係数b、第3の修正係数cと第4の修正係数dを、それぞれ0、0、0、75にし、オフ温度Ｔoffに対応する第1の修正係数a、第2の修正係数b、第3の修正係数cと第4の修正係数dを、それぞれ0、0、0、110にする。
【００２６】
また、本発明の技術案2では、凝縮モジュール及び加熱モジュールとともに、環境温度並びに凝縮モジュールの冷却水温度を検出するための温度センサと、温度センサにより検出された環境温度並びに冷却水温度に基づいて加熱モジュールのオン/オフ温度を修正するための温度修正モジュールと、修正したオン/オフ温度に基づいて加熱モジュールの運行状況を制御する制御モジュールと、を含む衣類処理設備を更に提供する。
【００２７】
当業者が理解出来ることは、本発明の制御方法の好ましい技術案において、環境温度並びに凝縮モジュールの冷却水温度を検出し、環境温度並びに冷却水温度に基づいて加熱モジュールのオン/オフ温度を修正し、修正したオン/オフ温度に基づいて加熱モジュールの運行状況を制御する。従来のような検出された環境温度により直接に加熱モジュールの運行状況を制御する技術案と比べると、本発明は、加熱モジュールの運行状況を制御する過程中、検出された環境温度並びに冷却水温度によって加熱モジュールのオン/オフ温度を修正することで、温度センサの検出誤差によるオン/オフ温度判定の正確性への影響を大きく低減し、加熱モジュールのオン/オフ温度を正確に判定でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００２８】
更に、冷却水温度並びに環境温度とプリセット温度閾値とを比較し、冷却水温度並びに環境温度とプリセット温度閾値との比較結果に基づいてオン/オフ温度を修正するとともに、式T=a×T1+b×T2+c×T1×T2+dに従ってオン/オフ温度を修正し、そのうち、第1の修正係数a、第2の修正係数b、第3の修正係数cと第4の修正係数dの大きさが環境温度T1と冷却水温度T2の大きさに依存することで、加熱モジュールのオン/オフ温度を正確に修正でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００２９】
本発明の技術案3は、凝縮モジュール及び加熱モジュールを含む衣類処理設備用の制御方法を提供しており、制御方法は、凝縮モジュールの冷却水温度を検出するステップと、冷却水温度に基づいて加熱モジュールのオン/オフ温度を修正するステップと、修正したオン/オフ温度に基づいて加熱モジュールの運行状況を制御するステップと、を含む。
【００３０】
上記制御方法の好ましい技術案において、「冷却水温度に基づいて加熱モジュールのオン/オフ温度を修正する」というステップは、具体的に、冷却水温度とプリセット温度閾値とを比較することと、冷却水温度とプリセット温度閾値との比較結果に基づいてオン/オフ温度を修正することと、を含む。
【００３１】
上記制御方法の好ましい技術案において、「冷却水温度とプリセット温度閾値との比較結果に基づいてオン/オフ温度を修正する」というステップは、具体的に、式T=a×T1+bに従ってオン/オフ温度を修正することを含み、そのうち、Tはオン/オフ温度、T1は冷却水温度、aは第1の修正係数、bは第2の修正係数であり、また、第1の修正係数aと第2の修正係数bの大きさは、冷却水温度T1の大きさに依存する。
【００３２】
上記制御方法の好ましい技術案において、オン/オフ温度Tは、オン温度Tonとオフ温度Toffを含み、プリセット温度閾値は、第1のプリセット温度閾値、第2のプリセット温度閾値及び第3のプリセット温度閾値を含み、そのうち、第1のプリセット温度閾値は、第2のプリセット温度閾値より小さく、第2のプリセット温度閾値は、第3のプリセット温度閾値より小さい。
【００３３】
上記制御方法の好ましい技術案において、第1の修正係数a及び第2の修正係数bの大きさを、冷却水温度T1が第1のプリセット温度閾値以下である場合に、オン温度Tonとオフ温度Toffとはいずれも変化しない；冷却水温度T1が第1のプリセット温度閾値を超えるとともに第2のプリセット温度閾値以下である場合に、オン温度Tonとオフ温度Toffとはいずれも、冷却水温度T1に反比例する；冷却水温度T1が第2のプリセット温度閾値を超えるとともに第3のプリセット温度閾値以下である場合に、オン温度Tonとオフ温度Toffとはいずれも、冷却水温度T1に反比例する；冷却水温度T1が第3のプリセット温度閾値を超える場合に、オン温度Tonとオフ温度Toffとはいずれも変化しない、となるように設置する。
【００３４】
上記制御方法の好ましい技術案において、第1のプリセット温度閾値は10℃であり、「冷却水温度とプリセット温度閾値との比較結果に基づいてオン/オフ温度を修正する」というステップは、具体的に、冷却水温度T1が第1のプリセット温度閾値以下である場合、オン温度Tonに対応する第1の修正係数aと第2の修正係数bを、それぞれ0と110にし、オフ温度Toffに対応する第1の修正係数aと第2の修正係数bを、それぞれ0と170にすることを含む。
【００３５】
上記制御方法の好ましい技術案において、第1のプリセット温度閾値は10℃であり、第2のプリセット温度閾値は25℃であり、「冷却水温度とプリセット温度閾値との比較結果に基づいてオン/オフ温度を修正する」というステップは、具体的に、冷却水温度T1が第1のプリセット温度閾値を超えるとともに第2のプリセット温度閾値以下である場合、オン温度Tonに対応する第1の修正係数aと第2の修正係数bを、それぞれ‐1.2と122にし、オフ温度Toffに対応する第1の修正係数aと第2の修正係数bを、それぞれ‐2と170にすることを含む。
【００３６】
上記制御方法の好ましい技術案において、第2のプリセット温度閾値は25℃であり、第3のプリセット温度閾値は35℃であり、「冷却水温度とプリセット温度閾値との比較結果に基づいてオン/オフ温度を修正する」というステップは、具体的に、冷却水温度T1が第2のプリセット温度閾値を超えるとともに第3のプリセット温度閾値以下である場合、オン温度Tonに対応する第1の修正係数aと第2の修正係数bを、それぞれ‐2と142にし、オフ温度Toffに対応する第1の修正係数aと第2の修正係数bを、それぞれ‐0.5と132.5にすることを含む。
【００３７】
上記制御方法の好ましい技術案において、第3のプリセット温度閾値は35℃であり、冷却水温度T1が第3のプリセット温度閾値を超える場合、オン温度Tonに対応する第1の修正係数aと第2の修正係数bを、それぞれ0と72にし、オフ温度Toffに対応する第1の修正係数aと第2の修正係数bを、それぞれ0と115にする。
【００３８】
また、本発明の技術案3では、凝縮モジュール及び加熱モジュールとともに、凝縮モジュールの冷却水温度を検出するための温度センサと、温度センサにより検出された冷却水温度に基づいて加熱モジュールのオン/オフ温度を修正するための温度修正モジュールと、修正したオン/オフ温度に基づいて加熱モジュールの運行状況を制御する制御モジュールと、を含む衣類処理設備を更に提供する。
【００３９】
当業者が理解出来ることは、本発明の制御方法の好ましい技術案において、凝縮モジュールの冷却水温度を検出し、冷却水温度に基づいて加熱モジュールのオン/オフ温度を修正し、修正したオン/オフ温度に基づいて加熱モジュールの運行状況を制御する。従来のような検出された環境温度により直接に加熱モジュールの運行状況を制御する技術案と比べると、本発明は、加熱モジュールの運行状況を制御する過程中、検出された冷却水温度によって加熱モジュールのオン/オフ温度を修正することで、温度センサの検出誤差によるオン/オフ温度判定の正確性への影響を大きく低減し、加熱モジュールのオン/オフ温度を正確に判定でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００４０】
更に、冷却水温度とプリセット温度閾値とを比較し、冷却水温度とプリセット温度閾値との比較結果に基づいてオン/オフ温度を修正するとともに、式T=a×T1+bに従ってオン/オフ温度を修正し、そのうち、第1の修正係数aと第2の修正係数bの大きさが冷却水温度T1の大きさに依存することで、加熱モジュールのオン/オフ温度を正確に修正でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００４１】
以下、本発明の制御方法を図面に参照しながら、一体型洗濯乾燥機と合わせて説明する。図面においては以下となる。
【図面の簡単な説明】
【００４２】
【図１】本発明の実施例一に係る制御方法のフローチャートである。
【図２】本発明の実施例一に係る一つの実施例の制御方法のフローチャートである。
【図３】本発明の実施例一に係る一体型洗濯乾燥機のブロック概略図である。
【図４】本発明の実施例二に係る制御方法のフローチャートである。
【図５】本発明の実施例二に係る制御方法のフローチャート1である。
【図６】本発明の実施例二に係る制御方法のフローチャート2である。
【図７】本発明の実施例二に係る制御方法のフローチャート3である。
【図８】本発明の実施例二に係る一体型洗濯乾燥機のブロック概略図である。
【図９】本発明の実施例三に係る制御方法のフローチャートである。
【図１０】本発明の実施例三に係る一つの実施例の制御方法のフローチャートである。
【図１１】本発明の実施例三に係る一体型洗濯乾燥機のブロック概略図である。
【発明を実施するための形態】
【００４３】
以下、本発明の好ましい実施形態を、図面を参照しながら説明する。当業者は、これらの実施形態が本発明の技術的原理を説明するためだけに使用され、本発明の保護範囲を制限するものではないと理解すべきである。例えば、本願について一体型洗濯乾燥機と合わせて説明するが、本発明の技術案はこれに限定されず、この制御方法は衣類乾燥機等他の衣類処理設備に適用可能であるのは言うまでもなく、このような変更は、本発明の原理や範囲から逸脱しない。
【００４４】
なお、本発明の記述において、「第1」、「第2」、「第3」という用語は、単に目的を説明するために使用されるものであり、相対的な重要性を示したり暗示したりするものではないと理解されたい。
【００４５】
実施例一
背景技術において提出された課題に基づいて、本発明は、環境温度によって加熱モジュールのオン/オフ温度を修正することを旨とする一体型洗濯乾燥機用の制御方法を提供しており、温度センサの検出誤差によるオン/オフ温度判定の正確性への影響を大きく低減し、加熱モジュールのオン/オフ温度を正確に判定でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００４６】
図1乃至図3を参照すると、図1は、本発明の実施例一に係る制御方法のフローチャートであり、図2は、本発明の実施例一に係る一つの実施例の制御方法のフローチャートであり、図3は、本発明の実施例一に係る一体型洗濯乾燥機のブロック概略図である。図1に示すように、本発明の制御方法は、以下のステップを含む。
【００４７】
S1は、環境温度を検出する。
【００４８】
S2は、環境温度に基づいて加熱モジュールのオン/オフ温度を修正する。
【００４９】
S3は、修正したオン/オフ温度に基づいて加熱モジュールの運行状況を制御する。
【００５０】
好ましくは、環境温度は、プリセット時間閾値内で測定された環境の平均温度である。プリセット時間閾値は例えば1minであり、もちろん、プリセット時間閾値は、上記例示した時間に限定されず、当業者は、プリセット時間閾値で環境温度を決定する要求が満たされる限り、実際の適用においてプリセット時間閾値を柔軟に調整できる。
【００５１】
一方、本発明はさらに、一体型洗濯乾燥機を提供しており、図3に示すように、この一体型洗濯乾燥機は、ケーシングと、ケーシング内に設置された衣類処理筒と、加熱モジュールと、送風モジュールと、温度センサと、温度修正モジュールと、制御モジュールとを備える。空気を加熱するための加熱モジュールは、ケーシング内に設けられ、加熱モジュールが送風モジュールを介して衣類処理筒に接続されることにより、加熱モジュールで加熱された熱風を衣類処理筒内に搬送して衣類処理筒内の衣類を乾燥させる。温度センサは、ケーシングの外側に設けられ、環境温度を検出するために使用される。温度修正モジュールは、制御モジュールに設けられ、温度センサにより検出された環境温度に基づいて加熱モジュールのオン/オフ温度を修正するために使用される。制御モジュールは、ケーシングに設けられ、修正したオン/オフ温度に基づいて加熱モジュールの運行状況を制御する。勿論、加熱モジュール、送風モジュール、温度センサ、温度修正モジュール、及び制御モジュールの実際の取付位置は、上記例示した取付位置に限らず、当業者は、実際の適用において、加熱モジュールと、送風モジュールと、温度センサと、温度修正モジュールと、制御モジュールとの協働により、オン/オフ温度を修正できる限り、加熱モジュール、送風モジュール、温度センサ、温度修正モジュール、及び制御モジュールの実際の取付位置を柔軟に設置できる。
【００５２】
好ましくは、加熱モジュールは、加熱管、加熱ファン、ヒータ等の他の構成であり、ここでは係る説明を省略する。
【００５３】
好ましくは、送風モジュールは、ファンであり、その他の構成であってもよいが、ここでは係る説明を省略する。
【００５４】
好ましくは、環境温度を検出するために、温度センサは、赤外線温度センサであり、他の種類のセンサ、例えば、RFセンサなどであってもよく、なお、環境温度の検出方法は本発明を制限すべきではない。
【００５５】
好ましくは、温度修正モジュールは、コンピュータソフトウェアで設計され、プリセット温度閾値に基づいて、温度センサの温度データを修正し、修正された温度データを制御モジュールに提供する。
【００５６】
好ましくは、制御モジュールは、温度センサによって検出された環境温度を識別でき、検出された環境温度に基づいて、加熱モジュールのオン/オフ温度を修正するように温度修正モジュールを制御する。制御モジュールは、一体型洗濯乾燥機自体の制御モジュールであってもよいし、付加される制御モジュールや他の携帯端末であってもよいが、ここでは係る説明を省略する。
【００５７】
上記ステップS2において、「環境温度に基づいて加熱モジュールのオン/オフ温度を修正する」というステップは、具体的には、下記内容を含む。
【００５８】
S21は、環境温度とプリセット温度閾値とを比較する。
【００５９】
S22は、環境温度とプリセット温度閾値との比較結果に基づいてオン/オフ温度を修正する。
【００６０】
上記制御方法によれば、加熱モジュールのオン/オフ温度を正確に修正でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００６１】
さらに、上記ステップS22において、「環境温度とプリセット温度閾値との比較結果に基づいてオン/オフ温度を修正する」というステップは、具体的に、以下の式に従ってオン/オフ温度を修正することを含む。
T=a×T1+b
そのうち、Tはオン/オフ温度、
T1は環境温度、
aは第1の修正係数、
bは第2の修正係数である。
なお、第1の修正係数a及び第2の修正係数bの大きさは、環境温度T1の大きさに依存する。
【００６２】
上記ステップにおいて、オン/オフ温度Tは、オン温度Tonとオフ温度Toffを含み、プリセット温度閾値は、第1のプリセット温度閾値、第2のプリセット温度閾値及び第3のプリセット温度閾値を含み、そのうち、第1のプリセット温度閾値は、第2のプリセット温度閾値より小さく、第2のプリセット温度閾値は、第3のプリセット温度閾値より小さい。
【００６３】
好ましくは、上記ステップS22において、「環境温度とプリセット温度閾値との比較結果に基づいてオン/オフ温度を修正する」というステップは、さらに下記内容を含む。
【００６４】
S221は、環境温度T1が第1のプリセット温度閾値以下であるか否かを判定する。
【００６５】
S222は、環境温度T1が第1のプリセット温度閾値以下である場合、オン温度Tonとオフ温度Toffとはいずれも変化しない。
【００６６】
S223は、環境温度T1が第1のプリセット温度閾値を超えるとともに第2のプリセット温度閾値以下であるか否かを判定する。
【００６７】
S224は、環境温度T1が第1のプリセット温度閾値を超えるとともに第2のプリセット温度閾値以下である場合、オン温度Tonとオフ温度Toffとはいずれも、環境温度T1に反比例する。
【００６８】
S225は、環境温度T1が第2のプリセット温度閾値を超えるとともに第3のプリセット温度閾値以下であるか否かを判定する。
【００６９】
S226は、環境温度T1が第2のプリセット温度閾値を超えるとともに第3のプリセット温度閾値以下である場合、オン温度Tonとオフ温度Toffとはいずれも、環境温度T1に反比例する。
【００７０】
S227は、環境温度T1が第3のプリセット温度閾値を超える場合、オン温度Tonとオフ温度Toffとはいずれも変化しない。
【００７１】
具体的には、上記ステップS222において、環境温度T1が第1のプリセット温度閾値以下である場合、環境温度が比較的低く、温度センサの検出精度に影響せず、加熱モジュールをオン又はオフにする必要があるか否かを正確に判定できることを示しており、オン温度Tonとオフ温度Toffをいずれもそのまま変化しないように設置する。つまり、オン温度Tonとオフ温度Toffは、環境温度の変化によって変化しない。
【００７２】
好ましくは、上記ステップS224において、環境温度T1が第1のプリセット温度閾値を超えるとともに第2のプリセット温度閾値以下である場合、環境温度が比較的高く、温度センサの検出精度に影響を及ぼし、加熱モジュールをオン又はオフにする必要があるか否かを正確に判定できないことを示しており、オン温度Tonとオフ温度Toffとはいずれも、環境温度T1に反比例するように設置され、環境温度の上昇に伴ってオン温度Tonとオフ温度Toffが低下するようになり、加熱モジュールのオン/オフ温度を下げることで、衣類はまだ乾燥していないのに乾燥プログラムがすでに早めに終了してしまうことが回避され、一体型洗濯乾燥機の乾燥効果が高められ、ユーザの使用体験も向上される。
【００７３】
好ましくは、上記ステップS226において、環境温度T1が第2のプリセット温度閾値を超えるとともに第3のプリセット温度閾値以下である場合、環境温度がかなり高く、温度センサの検出精度に影響を及ぼし、加熱モジュールをオン又はオフにする必要があるか否かを正確に判定できないことを示しており、オン温度Tonとオフ温度Toffとはいずれも、環境温度T1に反比例するように設置され、環境温度の上昇に伴ってオン温度Tonとオフ温度Toffが低下するようになり、加熱モジュールのオン/オフ温度を下げることで、衣類はまだ乾燥していないのに乾燥プログラムがすでに早めに終了してしまうことが回避され、一体型洗濯乾燥機の乾燥効果が高められ、ユーザの使用体験も向上される。
【００７４】
好ましくは、上記ステップS227において、環境温度T1が第3のプリセット温度閾値を超える場合、環境温度が高すぎて、温度センサの検出精度に極めて大きな影響を及ぼし、加熱モジュールをオン又はオフにする必要があるか否かを正確に判定できないことを示しており、オン温度Tonとオフ温度Toffをいずれもそのまま変化しないように設置する。つまり、オン温度Tonとオフ温度Toffが、環境温度の変化によって変化しないようにすることで、衣類はまだ乾燥していないのに乾燥プログラムがすでに早めに終了してしまうことが回避され、一体型洗濯乾燥機の乾燥効果が高められ、ユーザの使用体験も向上される。
【００７５】
上記の過程で、第1のプリセット温度閾値の設定により、一体型洗濯乾燥機は異なる場合に最適な修正モードを採用できるように、オン/オフ温度の修正をどのように行うかについての結論を更に出して、加熱モジュールのオン/オフ温度を正確に判定でき、一体型洗濯乾燥機の乾燥効果が向上される。なお、第1のプリセット温度閾値は、環境温度の最低温度であってもよいが、例えば、第1のプリセット温度閾値が10℃である場合、オン/オフ温度の修正案は一体型洗濯乾燥機の乾燥効果を高めるために最適となる。勿論、上述した第1のプリセット温度閾値は、環境温度の最低温度に限らず、他の温度、例えば、当業者が特定な動作状態での実験から求められた実験温度、あるいは経験的に得られた経験温度であってもよく、第1のプリセット温度閾値に決定された第1の修正係数と第2の修正係数とを選定する境界点が、オン/オフ温度を修正する要求を満たすことができる限り、任意の温度に設定してもよい。
【００７６】
さらに、第2のプリセット温度閾値の設定により、一体型洗濯乾燥機は異なる場合に最適な修正モードを採用できるように、オン/オフ温度の修正をどのように行うかについての結論を更に出して、加熱モジュールのオン/オフ温度を正確に判定でき、一体型洗濯乾燥機の乾燥効果が向上される。なお、第2のプリセット温度閾値の設定は実際の状況に応じて柔軟に調整や設定可能で、第2のプリセット温度閾値は、例えば25℃であり、第2のプリセット温度閾値に決定された第1の修正係数と第2の修正係数とを選定する境界点が、オン/オフ温度を修正する要求を満たすことができる限り、任意の温度に設定してもよい。
【００７７】
さらに、第3のプリセット温度閾値の設定により、一体型洗濯乾燥機は異なる場合に最適な修正モードを採用できるように、オン/オフ温度の修正をどのように行うかについての結論を更に出して、加熱モジュールのオン/オフ温度を正確に判定でき、一体型洗濯乾燥機の乾燥効果が向上される。発明者によって繰り返し試験、観測、分析、または比較することで、第3のプリセット温度閾値は、環境温度の最高温度であってもよいと決定されたが、例えば、第3のプリセット温度閾値が35℃である場合、オン/オフ温度の修正案は一体型洗濯乾燥機の乾燥効果を高めるために最適となる。実際の適用において、第3のプリセット温度閾値の実際値は、環境温度の最高温度に限らず、当業者が実験的又は経験的に得られた値であってもよい。
【００７８】
好ましくは、修正したオン温度が修正したオフ温度より小さくなるように、オン温度に対応する第1の修正係数及び第2の修正係数の少なくとも1つと、オフ温度に対応する第1の修正係数及び第2の修正係数の少なくとも1つとは互いに異なる。
【００７９】
好ましくは、環境温度T1が10℃(第1のプリセット温度閾値)以下である場合、オン温度Tonに対応する第1の修正係数aを0にし、第2の修正係数bを110にし、すなわちTon=110℃とし、オフ温度Toffに対応する第1の修正係数aを0にし、第2の修正係数bを150にし、すなわちToff=150℃とする。
【００８０】
好ましくは、環境温度T1が10℃を超えるとともに25℃(第2のプリセット温度閾値)以下である場合、オン温度Tonに対応する第1の修正係数aを‐1.2にし、第2の修正係数bを122にし、すなわちTon=‐1.2×T1+122とし、オフ温度Toffに対応する第1の修正係数aを‐2にし、第2の修正係数bを170にし、すなわちToff=‐2×T1+170とする。
【００８１】
好ましくは、環境温度T1が25℃を超えるとともに35℃(第3のプリセット温度閾値)以下である場合、オン温度Tonに対応する第1の修正係数aを‐2にし、第2の修正係数bを142にし、すなわちTon=‐2×T1+142とし、オフ温度Toffに対応する第1の修正係数aと第2の修正係数bを、それぞれ‐0.5と132.5℃にし、すなわちToff=‐0.5×T1+132.5とする。
【００８２】
好ましくは、環境温度T1が35℃を超える場合、オン温度Tonに対応する第1の修正係数aを0にし、第2の修正係数bを72にし、すなわちTon=72℃とし、オフ温度Toffに対応する第1の修正係数aを0にし、第2の修正係数bを115にし、すなわちToff=115℃とする。
【００８３】
もちろん、第1の修正係数の値及び第2の修正係数の値は、上記例示した値に限定されず、下記要求が満たされる限り、当業者は、実際の操作中で柔軟に調整できる。環境温度が第1のプリセット温度閾値以下である場合に、オン温度Tonとオフ温度Toffとはいずれも変化しない；環境温度が第2のプリセット温度閾値以下である場合に、オン温度Tonとオフ温度Toffとはいずれも、環境温度T1に反比例する；環境温度が第3のプリセット温度閾値以下である場合に、オン温度Tonとオフ温度Toffとはいずれも、環境温度T1に反比例する；環境温度が第3のプリセット温度閾値を超える場合に、オン温度Tonとオフ温度Toffとはいずれも変化しない。
【００８４】
以下、図2を参照すると、図2は本発明の実施例一に係る一つの実施例の制御方法のフローチャートである。
【００８５】
図2に示すように、ある可能な実施形態では、本発明の一体型洗濯乾燥機の制御方法の完全なるフローは下記であってもよい。
【００８６】
S1は、環境温度を検出する。
【００８７】
S21は、環境温度と10℃（第1のプリセット温度閾値）とを比較する。
【００８８】
S221は、環境温度が10℃以下であるか否かを判定する。
【００８９】
S222は、環境温度が10℃以下である場合、加熱モジュールのオン温度Ton=110℃、オフ温度Toff=150℃とする。
【００９０】
S223は、環境温度が25℃（第2のプリセット温度閾値）以下であるか否かを判定する。
【００９１】
S224は、環境温度が25℃以下である場合、加熱モジュールのオン温度Ton=‐1.2×T1+122、オフ温度Toff=‐2×T1+170とする。
【００９２】
S225は、環境温度が35℃（第3のプリセット温度閾値）以下であるか否かを判定する。
【００９３】
S226は、環境温度が35℃以下である場合、加熱モジュールのオン温度Ton=‐2×T1+142、オフ温度Toff=‐0.5×T1+132.5とする。
【００９４】
S227は、環境温度が35℃を超える場合、加熱モジュールのオン温度Ton=72℃、オフ温度Toff=115℃とする。
【００９５】
S3は、修正したオン温度Tonとオフ温度Toffに基づいて加熱モジュールの運行状況を制御する。
【００９６】
勿論、具体的な実施形態において、まず環境温度と35℃とを比較し、35℃との比較結果に基づいて、25℃または10℃との比較を行うか否かを決定してもよいが、その実施は上記例示に挙げられた実施形態とは類似しており、ここでは説明を省略する。
なお、上述実施例は、本発明の好ましい実施形態の一つであり、本発明の保護範囲を限定するものではなく単に本発明の方法の原理を説明するためのものであり、実際の適用において、当業者は必要に応じて、上記機能を異なるステップに割り当て実現することができ、即ち、本発明の実施例におけるステップをさらに分解または組み合わせることができる。例えば、上述実施例のステップは、1つのステップに合併してもよいし、さらに複数のサブステップに分解して、以上説明した全部または一部の機能を実現してもよい。本発明の実施例に係るステップの名称は、各ステップを区別するためだけのものであり、本発明に対する制限とは見なされない。
【００９７】
実施例二
背景技術において提出された課題に基づいて、本発明は、環境温度並びに冷却水温度によって加熱モジュールのオン/オフ温度を修正することを旨とする一体型洗濯乾燥機用の制御方法を提供しており、温度センサの検出誤差によるオン/オフ温度判定の正確性への影響を大きく低減し、加熱モジュールのオン/オフ温度を正確に判定でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【００９８】
図4から図8を参照すると、図4は本発明の実施例二に係る制御方法のフローチャートであり、図5は本発明の実施例二に係る制御方法のフローチャート1であり、図6は本発明の実施例二に係る制御方法のフローチャート2であり、図7は本発明の実施例二に係る制御方法のフローチャート3であり、図8は本発明の実施例二に係る一体型洗濯乾燥機のブロック概略図である。図4に示すように、本発明の制御方法は、以下のステップを含む。
【００９９】
S1は、環境温度並びに凝縮モジュールの冷却水温度を検出する。
【０１００】
S2は、環境温度並びに冷却水温度に基づいて加熱モジュールのオン/オフ温度を修正する。
【０１０１】
S3は、修正したオン/オフ温度に基づいて加熱モジュールの運行状況を制御する。
【０１０２】
好ましくは、環境温度は、第1のプリセット時間閾値内で測定された環境の平均温度であり、第1のプリセット時間閾値は例えば1minであり、冷却水温度は、第2のプリセット時間閾値内で測定された冷却水の平均温度であり、第2のプリセット時間閾値は例えば1minである。勿論、第1のプリセット時間閾値と第2のプリセット時間閾値は、上記例示した時間に限定されず、第1のプリセット時間閾値と第2のプリセット時間閾値で環境温度と冷却水温度を決定する要求を満たしていれば、当業者は、実際の適用において第1のプリセット時間閾値と第2のプリセット時間閾値を柔軟に調整できる。
【０１０３】
一方、本発明はさらに、一体型洗濯乾燥機を提供しており、図8に示すように、この一体型洗濯乾燥機は、ケーシングと、ケーシング内に設置された衣類処理筒と、凝縮モジュールと、加熱モジュールと、送風モジュールと、温度センサと、温度修正モジュールと、制御モジュールとを備え、空気を加熱するための加熱モジュールはケーシング内に設けられる。乾燥中で発生した高温高湿の蒸気を凝縮するための凝縮モジュールはケーシング内に設けられる。加熱モジュールが送風モジュールを介して衣類処理筒に接続されることにより、加熱モジュールで加熱された熱風を衣類処理筒内に搬送して衣類処理筒内の衣類を乾燥させる。温度センサは、環境温度並びに冷却水温度を検出するために使用される。温度修正モジュールは、制御モジュールに設けられ、温度センサにより検出された冷却水温度に基づいて加熱モジュールのオン/オフ温度を修正するために使用される。制御モジュールは、ケーシングに設けられ、修正したオン/オフ温度に基づいて加熱モジュールの運行状況を制御する。勿論、加熱モジュール、送風モジュール、温度センサ、温度修正モジュール、及び制御モジュールの実際の取付位置は、上記例示した取付位置に限らず、当業者は、実際の適用において、加熱モジュールと、送風モジュールと、温度センサと、温度修正モジュールと、制御モジュールとの協働により、オン/オフ温度を修正できる限り、加熱モジュール、送風モジュール、温度センサ、温度修正モジュール、及び制御モジュールの実際の取付位置を柔軟に設置できる。
【０１０４】
好ましくは、凝縮モジュールは、凝縮器、凝縮管等の他の構成であり、ここでは係る説明を省略する。
【０１０５】
好ましくは、加熱モジュールは、加熱管、加熱ファン、ヒータ等の他の構成であり、ここでは係る説明を省略する。
【０１０６】
好ましくは、送風モジュールは、ファンであり、その他の構成であってもよいが、ここでは係る説明を省略する。
【０１０７】
好ましくは、温度センサは、第一温度センサと第二温度センサを含み、第一温度センサは、ケーシングの外側に設けられ、環境温度を検出するために使用され、第二温度センサは、一体型洗濯乾燥機の電磁弁内に設けられ、冷却水の温度を検出するために使用される。
【０１０８】
好ましくは、環境温度及び冷却水温度を検出するために、第一温度センサと第二温度センサは、赤外線温度センサであり、他の種類のセンサ、例えば、RFセンサなどであってもよく、なお、環境温度及び冷却水温度の検出方法は本発明を制限すべきではない。
【０１０９】
好ましくは、温度修正モジュールは、コンピュータソフトウェアで設計され、プリセット温度閾値に基づいて、温度センサの温度データを修正し、修正された温度データを制御モジュールに提供する。
【０１１０】
好ましくは、制御モジュールは、温度センサによって検出された冷却水温度を識別でき、検出された冷却水温度に基づいて、加熱モジュールのオン/オフ温度を修正するように温度修正モジュールを制御する。制御モジュールは、一体型洗濯乾燥機自体の制御モジュールであってもよいし、付加される制御モジュールや他の携帯端末であってもよいが、ここでは係る説明を省略する。
【０１１１】
上記ステップS2において、「環境温度並びに冷却水温度に基づいて加熱モジュールのオン/オフ温度を修正する」というステップは、具体的には、下記内容を含む。
【０１１２】
S21は、環境温度並びに冷却水温度とプリセット温度閾値とを比較する。
【０１１３】
S22は、環境温度並びに冷却水温度とプリセット温度閾値との比較結果に基づいてオン/オフ温度を修正する。
【０１１４】
上記制御方法によれば、加熱モジュールのオン/オフ温度を正確に修正でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【０１１５】
さらに、上記ステップS22において、「環境温度並びに冷却水温度とプリセット温度閾値との比較結果に基づいてオン/オフ温度を修正する」というステップは、具体的に、以下の式に従ってオン/オフ温度を修正することを含む。
T=a×T1+b×T2+c×T1×T2+d
そのうち、Tはオン/オフ温度、
T1は環境温度、
T2は冷却水温度、
aは第1の修正係数、
bは第2の修正係数、
cは第3の修正係数、
dは第4の修正係数である。
なお、第1の修正係数a、第2の修正係数b、第3の修正係数c及び第4の修正係数dの大きさは、環境温度T1及び冷却水温度T2の大きさに依存する。
【０１１６】
上記ステップにおいて、オン/オフ温度Tは、オン温度Tonとオフ温度Toffを含み、プリセット温度閾値は、第1のプリセット環境温度閾値、第2のプリセット環境温度閾値、第1のプリセット冷却水温度閾値、及び第2のプリセット冷却水温度閾値を含み、そのうち、第1のプリセット環境温度閾値は、第2のプリセット環境温度閾値より小さく、第1のプリセット冷却水温度閾値は、第2のプリセット冷却水温度閾値より小さい。
【０１１７】
好ましくは、上記ステップS22において、「冷却水温度とプリセット温度閾値との比較結果に基づいてオン/オフ温度を修正する」というステップは、さらに下記内容を含む。
【０１１８】
S221は、環境温度T1が第1のプリセット環境温度閾値以下であるか否か、冷却水温度T2が第1のプリセット冷却水温度閾値以下であるか否かを判定する。
【０１１９】
S222は、環境温度T1が第1のプリセット環境温度閾値以下であるとともに冷却水温度T2が第1のプリセット冷却水温度閾値以下である場合、オン温度Tonとオフ温度Toffとはいずれも変化しない。
【０１２０】
S223は、環境温度T1が第1のプリセット環境温度閾値以下であるか否か、且つ冷却水温度T2が第1のプリセット冷却水温度閾値を超えるか否かを判定する。
【０１２１】
S224は、環境温度T1が第1のプリセット環境温度閾値以下であるとともに冷却水温度T2が第1のプリセット冷却水温度閾値を超える場合、オン温度Tonとオフ温度Toffとはいずれも、環境温度T1と冷却水温度T2に反比例する。
【０１２２】
S225は、環境温度T1が第1のプリセット環境温度閾値を超えるとともに第2のプリセット環境温度閾値以下であるか否かを判定する。
【０１２３】
S226は、環境温度T1が第1のプリセット環境温度閾値を超えるとともに第2のプリセット環境温度閾値以下である場合、オン温度Tonとオフ温度Toffとはいずれも、環境温度T1と冷却水温度T2に反比例する。
【０１２４】
S227は、環境温度T1が第2のプリセット環境温度閾値を超えるとともに冷却水温度T2が第2のプリセット冷却水温度閾値以下であるか否かを判定する。
【０１２５】
S228は、環境温度T1が第2のプリセット環境温度閾値を超えるとともに冷却水温度T2が第2のプリセット冷却水温度閾値以下である場合、オン温度Tonとオフ温度Toffとはいずれも、環境温度T1と冷却水温度T2に反比例する。
【０１２６】
S229は、環境温度T1が第2のプリセット環境温度閾値を超えるか否か、且つ冷却水温度T2が第2のプリセット冷却水温度閾値を超えるか否かを判定する。
【０１２７】
S230は、環境温度T1が第2のプリセット環境温度閾値を超えるとともに冷却水温度T2が第2のプリセット冷却水温度閾値を超える場合、オン温度Tonとオフ温度Toffとはいずれも変化しない。
【０１２８】
具体的には、上記ステップS222において、環境温度T1が第1のプリセット環境温度閾値以下であるとともに冷却水温度T2が第1のプリセット冷却水温度閾値以下である場合、環境温度及び冷却水温度の両方が比較的低く、温度センサの検出精度に影響せず、加熱モジュールをオン又はオフにする必要があるか否かを正確に判定できることを示しており、オン温度Tonとオフ温度Toffをいずれもそのまま変化しないように設置する。つまり、オン温度Tonとオフ温度Toffは、環境温度T1と冷却水温度T2の変化によって変化しない。
【０１２９】
好ましくは、上記ステップS224において、環境温度T1が第1のプリセット環境温度閾値以下であるとともに冷却水温度T2が第1のプリセット冷却水温度閾値を超える場合、環境温度T1が比較的低いであるが、冷却水温度T2が比較的高く、温度センサの検出精度に影響を及ぼし、加熱モジュールをオン又はオフにする必要があるか否かを正確に判定できないことを示しており、オン温度Tonとオフ温度Toffとはいずれも、環境温度T1と冷却水温度T2に反比例するように設置され、環境温度T1と冷却水温度T2の上昇に伴ってオン温度Tonとオフ温度Toffがいずれも低下するようになり、加熱モジュールのオン/オフ温度を下げることで、衣類はまだ乾燥していないのに乾燥プログラムがすでに早めに終了してしまうことが回避され、一体型洗濯乾燥機の乾燥効果が高められ、ユーザの使用体験も向上される。
【０１３０】
好ましくは、上記ステップS226において、環境温度T1が第1のプリセット環境温度閾値を超えるとともに第2のプリセット環境温度閾値以下である場合、環境温度が比較的高く、冷却水の温度を問わずに温度センサの検出精度に影響を及ぼし、加熱モジュールをオン又はオフにする必要があるか否かを正確に判定できないことを示しており、オン温度Tonとオフ温度Toffとはいずれも、環境温度T1と冷却水温度T2に反比例するように設置され、環境温度T1と冷却水温度T2の上昇に伴ってオン温度Tonとオフ温度Toffが低下するようになり、加熱モジュールのオン/オフ温度を下げることで、衣類はまだ乾燥していないのに乾燥プログラムがすでに早めに終了してしまうことが回避され、一体型洗濯乾燥機の乾燥効果が高められ、ユーザの使用体験も向上される。
【０１３１】
好ましくは、上記ステップS228において、環境温度T1が第2のプリセット環境温度閾値を超えるとともに冷却水温度T2が第2のプリセット冷却水温度閾値以下である場合、環境温度がかなり高く、且つ冷却水の温度が比較的高く、温度センサの検出精度に影響を及ぼし、加熱モジュールをオン又はオフにする必要があるか否かを正確に判定できないことを示しており、オン温度Tonとオフ温度Toffとはいずれも、環境温度T1と冷却水温度T2に反比例するように設置され、環境温度T1と冷却水温度T2の上昇に伴ってオン温度Tonとオフ温度Toffが低下するようになり、加熱モジュールのオン/オフ温度を下げることで、衣類はまだ乾燥していないのに乾燥プログラムがすでに早めに終了してしまうことが回避され、一体型洗濯乾燥機の乾燥効果が高められ、ユーザの使用体験も向上される。
【０１３２】
好ましくは、上記ステップS230において、環境温度T1が第2のプリセット環境温度閾値を超えるとともに冷却水温度T2が第2のプリセット冷却水温度閾値を超える場合、環境温度と冷却水温度の両方が高すぎて、温度センサの検出精度に極めて大きな影響を及ぼし、加熱モジュールをオン又はオフにする必要があるか否かを正確に判定できないことを示しており、オン温度Tonとオフ温度Toffをいずれもそのまま変化しないように設置する。つまり、オン温度Tonとオフ温度Toffが、環境温度T1と冷却水温度T2の変化によって変化しないようにすることで、衣類はまだ乾燥していないのに乾燥プログラムがすでに早めに終了してしまうことが回避され、一体型洗濯乾燥機の乾燥効果が高められ、ユーザの使用体験も向上される。
【０１３３】
上記の過程で、第1のプリセット環境温度閾値と第1のプリセット冷却水温度閾値の設定により、一体型洗濯乾燥機は異なる場合に最適な修正モードを採用できるように、オン/オフ温度の修正をどのように行うかについての結論を更に出して、加熱モジュールのオン/オフ温度を正確に判定でき、一体型洗濯乾燥機の乾燥効果が向上される。なお、第1のプリセット環境温度閾値は、環境温度の最低温度であってもよいし、第1のプリセット冷却水温度閾値は、冷却水温度の最低温度であってもよいが、例えば、第1のプリセット環境温度閾値が10℃であり、第1のプリセット冷却水温度閾値が10℃である場合、オン/オフ温度の修正案は一体型洗濯乾燥機の乾燥効果を高めるために最適となる。勿論、第1のプリセット環境温度閾値と第1のプリセット冷却水温度閾値は、上記例示した温度に限らず、他の温度、例えば、当業者が特定な動作状態での実験から求められた実験温度、あるいは経験的に得られた経験温度であってもよく、第1のプリセット環境温度閾値と第1のプリセット冷却水温度閾値に決定された第1の修正係数、第2の修正係数、第3の修正係数、第4の修正係数を選定する境界点が、オン/オフ温度を修正する要求を満たすことができる限り、任意の温度に設定してもよい。
【０１３４】
さらに、第2のプリセット環境温度閾値と第2のプリセット冷却水温度閾値の設定により、一体型洗濯乾燥機は異なる場合に最適な修正モードを採用できるように、オン/オフ温度の修正をどのように行うかについての結論を更に出して、加熱モジュールのオン/オフ温度を正確に判定でき、一体型洗濯乾燥機の乾燥効果が向上される。なお、第2のプリセット環境温度閾値と第2のプリセット冷却水温度閾値の設定は実際の状況に応じて柔軟に調整や設定可能で、例えば第2のプリセット環境温度閾値は35℃であり、第2のプリセット冷却水温度閾値は35℃であり、第2のプリセット環境温度閾値と第2のプリセット冷却水温度閾値に決定された第1の修正係数と第2の修正係数とを選定する境界点が、オン/オフ温度を修正する要求を満たすことができる限り、任意の温度に設定してもよい。
【０１３５】
好ましくは、修正したオン温度が修正したオフ温度より小さくなるように、オン温度に対応する第1の修正係数、第2の修正係数、第3の修正係数及び第4の修正係数の少なくとも1つと、オフ温度に対応する第1の修正係数、第2の修正係数、第3の修正係数及び第4の修正係数の少なくとも1つとは互いに異なる。
【０１３６】
好ましくは、環境温度T1が10℃（第1のプリセット環境温度閾値）以下であるとともに冷却水温度T2が10℃（第1のプリセット冷却水温度閾値）以下である場合、オン温度Tonに対応する第1の修正係数aを0にし、第2の修正係数bを0にし、第3の修正係数cを0にし、第4の修正係数dを110にし、即ちTon=110℃とし、オフ温度Toffに対応する第1の修正係数aを0にし、第2の修正係数bを0にし、第3の修正係数cを0にし、第4の修正係数dを170にし、即ちToff=170℃とする。
【０１３７】
好ましくは、環境温度T1が10℃以下であるとともに、冷却水温度T2が10℃を超え且つ35℃（第2のプリセット冷却水温度閾値）以下である場合、オン温度Tonに対応する第1の修正係数aを‐0.2にし、第2の修正係数bを‐0.2にし、第3の修正係数cを0にし、第4の修正係数dを114にし、即ちTon=‐0.2×T1‐0.2×T2+114とし、オフ温度Toffに対応する第1の修正係数aを‐0.2にし、第2の修正係数bを‐0.2にし、第3の修正係数cを0にし、第4の修正係数dを170にし、即ちToff=‐0.2×T1‐0.2×T2+170とする。
【０１３８】
好ましくは、環境温度T1が第1のプリセット環境温度閾値以下であるとともに冷却水温度T2が第2のプリセット冷却水温度閾値を超える場合、オン温度Tonに対応する第1の修正係数aを‐0.1にし、第2の修正係数bを‐0.3にし、第3の修正係数cを0にし、第4の修正係数dを110にし、即ちTon=‐0.1×T1‐0.3×T2+110とし、オフ温度Toffに対応する第1の修正係数aを‐0.1にし、第2の修正係数bを‐0.3にし、第3の修正係数cを0にし、第4の修正係数dを160にし、即ちToff=‐0.1×T1‐0.3×T2+160とする。
【０１３９】
好ましくは、環境温度T1が第1のプリセット環境温度閾値を超え且つ第2のプリセット環境温度閾値以下であるとともに、冷却水温度T2が第1のプリセット冷却水温度閾値以下である場合、オン温度Tonに対応する第1の修正係数aを‐0.3にし、第2の修正係数bを‐0.1にし、第3の修正係数cを0にし、第4の修正係数dを114にし、即ちTon=‐0.3×T1‐0.1×T2+114とし、オフ温度Toffに対応する第1の修正係数aを‐0.3にし、第2の修正係数bを‐0.1にし、第3の修正係数cを0にし、第4の修正係数dを160にし、即ちToff=‐0.3×T1‐0.1×T2+160とする。
【０１４０】
好ましくは、環境温度T1が第1のプリセット環境温度閾値を超え且つ第2のプリセット環境温度閾値以下であるとともに、冷却水温度T2が第1のプリセット冷却水温度閾値を超え且つ第2のプリセット冷却水温度閾値以下である場合、オン温度Tonに対応する第1の修正係数aを‐0.3にし、第2の修正係数bを‐0.3にし、第3の修正係数cを0にし、第4の修正係数dを112にし、即ちTon=‐0.3×T1‐0.3×T2+112とし、オフ温度Toffに対応する第1の修正係数aを‐0.3にし、第2の修正係数bを‐0.3にし、第3の修正係数cを0にし、第4の修正係数dを150にし、即ちToff=‐0.3×T1‐0.3×T2+150とする。
【０１４１】
好ましくは、環境温度T1が第1のプリセット環境温度閾値を超え且つ第2のプリセット環境温度閾値以下であるとともに、冷却水温度T2が第2のプリセット冷却水温度閾値を超える場合、オン温度Tonに対応する第1の修正係数aを‐0.4にし、第2の修正係数bを‐0.2にし、第3の修正係数cを0にし、第4の修正係数dを110にし、即ちTon=‐0.4×T1‐0.2×T2+110とし、オフ温度Toffに対応する第1の修正係数aを‐0.4にし、第2の修正係数bを‐0.2にし、第3の修正係数cを0にし、第4の修正係数dを140にし、即ちToff=‐0.4×T1‐0.2×T2+140とする。
【０１４２】
好ましくは、環境温度T1が第2のプリセット環境温度閾値を超えるとともに冷却水温度T2が第1のプリセット冷却水温度閾値以下である場合、オン温度Tonに対応する第1の修正係数aを‐0.3にし、第2の修正係数bを‐0.1にし、第3の修正係数cを0にし、第4の修正係数dを114にし、即ちTon=‐0.3×T1‐0.1×T2+114とし、オフ温度Toffに対応する第1の修正係数aを‐0.3にし、第2の修正係数bを‐0.1にし、第3の修正係数cを0にし、第4の修正係数dを160にし、即ちToff=‐0.3×T1‐0.1×T2+160とする。
【０１４３】
好ましくは、環境温度T1が第2のプリセット環境温度閾値を超えるとともに、冷却水温度T2が第1のプリセット冷却水温度閾値を超え且つ第2のプリセット冷却水温度閾値以下である場合、オン温度Tonに対応する第1の修正係数aを‐0.4にし、第2の修正係数bを‐0.2にし、第3の修正係数cを0にし、第4の修正係数dを110にし、即ちTon=‐0.4×T1‐0.2×T2+110とし、オフ温度Toffに対応する第1の修正係数aを‐0.4にし、第2の修正係数bを‐0.2にし、第3の修正係数cを0にし、第4の修正係数dを140にし、即ちToff=‐0.4×T1‐0.2×T2+140とする。
【０１４４】
好ましくは、環境温度T1が第2のプリセット環境温度閾値を超えるとともに冷却水温度T2が第2のプリセット冷却水温度閾値を超える場合、オン温度Tonに対応する第1の修正係数aを0にし、第2の修正係数bを0にし、第3の修正係数cを0にし、第4の修正係数dを75にし、即ちTon=75℃とし、オフ温度Toffに対応する第1の修正係数aを0にし、第2の修正係数bを0にし、第3の修正係数cを0にし、第4の修正係数dを110にし、即ちToff=110℃とする。
【０１４５】
勿論、第1の修正係数、第2の修正係数、第3の修正係数及び第4の修正係数の値は、上記例示の値に限らず、当業者が、実際の操作中で柔軟に調整できる。
【０１４６】
以下、図5を参照すると、図5は本発明の実施例二に係る第1の実施例の制御方法のフローチャートである。
【０１４７】
図5に示すように、ある可能な実施形態では、本発明の一体型洗濯乾燥機の制御方法のフローは下記であってもよい。
【０１４８】
S1は、環境温度並びに凝縮モジュールの冷却水温度を検出する。
【０１４９】
S21は、環境温度と10℃（第1のプリセット環境温度閾値）とを比較する。
【０１５０】
S2211は、環境温度が10℃以下であるか否かを判定する。
【０１５１】
S2212は、「YES」の場合、冷却水温度が10℃以下であるか否かを判定する。
【０１５２】
S222は、冷却水温度T2が10℃（第1のプリセット冷却水温度閾値）以下である場合、加熱モジュールのオン温度Ton=110℃、オフ温度Toff=170℃とする。
【０１５３】
S2231は、「NO」の場合、冷却水温度が35℃（第2のプリセット冷却水温度閾値）以下であるか否かを判定する。
【０１５４】
S2241は、冷却水温度が35℃以下である場合、加熱モジュールのオン温度Ton=‐0.2×T1‐0.2×T2+114、オフ温度Toff=‐0.2×T1‐0.2×T2+170とする。
【０１５５】
S2242は、冷却水温度が35℃を超える場合、加熱モジュールのオン温度Ton=‐0.1×T1‐0.3×T2+110、オフ温度Toff=‐0.1×T1‐0.3×T2+160とする。
【０１５６】
S3は、修正したオン温度Tonとオフ温度Toffに基づいて加熱モジュールの運行状況を制御する。
【０１５７】
上記実施例において、環境温度が10℃を超える場合に、図6に示すように以下のステップがある。
【０１５８】
S1は、環境温度並びに凝縮モジュールの冷却水温度を検出する。
【０１５９】
S21は、環境温度と10℃（第1のプリセット環境温度閾値）とを比較する。
【０１６０】
S2211は、環境温度が10℃以下であるか否かを判定する。
【０１６１】
S2251は、「NO」の場合、環境温度が35℃（第2のプリセット環境温度閾値）以下であるか否かを判定する。
【０１６２】
S2261は、「YES」の場合、冷却水温度が10℃以下であるか否かを判定する。
【０１６３】
S2262は、冷却水温度T2が10℃以下である場合、加熱モジュールのオン温度Ton=‐0.3×T1‐0.1×T2+114、オフ温度Toff=‐0.3×T1‐0.1×T2+160とする。
【０１６４】
S2263は、「NO」の場合、冷却水温度が35℃（第2のプリセット冷却水温度閾値）以下であるか否かを判定する。
【０１６５】
S2264は、冷却水温度が35℃以下である場合、加熱モジュールのオン温度Ton=‐0.3×T1‐0.3×T2+112、オフ温度Toff=‐0.3×T1‐0.3×T2+150とする。
【０１６６】
S2265は、冷却水温度が35℃を超える場合、加熱モジュールのオン温度Ton=‐0.4×T1‐0.2×T2+110、オフ温度Toff=‐0.4×T1‐0.2×T2+140とする。
【０１６７】
S3は、修正したオン温度Tonとオフ温度Toffに基づいて加熱モジュールの運行状況を制御する。
【０１６８】
上記実施例において、環境温度が35℃を超える場合に、図7に示すように以下のステップがある。
【０１６９】
S1は、環境温度並びに凝縮モジュールの冷却水温度を検出する。
【０１７０】
S21は、環境温度と35℃（第2のプリセット環境温度閾値）とを比較する。
【０１７１】
S2271は、環境温度が35℃を超えるか否かを判定する。
【０１７２】
S2272は、「YES」の場合、冷却水温度が10℃以下であるか否かを判定する。
【０１７３】
S2281は、冷却水温度T2が10℃以下である場合、加熱モジュールのオン温度Ton=‐0.3×T1‐0.1×T2+114、オフ温度Toff=‐0.3×T1‐0.1×T2+160とする。
【０１７４】
S2273は、「NO」の場合、冷却水温度が35℃（第2のプリセット冷却水温度閾値）以下であるか否かを判定する。
【０１７５】
S2282は、冷却水温度が35℃以下である場合、加熱モジュールのオン温度Ton=‐0.4×T1‐0.2×T2+110、オフ温度Toff=‐0.4×T1‐0.2×T2+140とする。
【０１７６】
S230は、冷却水温度が35℃を超える場合、加熱モジュールのオン温度Ton=75℃、オフ温度Toff=110℃とする。
【０１７７】
S3は、修正したオン温度Tonとオフ温度Toffに基づいて加熱モジュールの運行状況を制御する。
【０１７８】
勿論、具体的な実施形態において、まず環境温度と35℃とを比較し、35℃との比較結果に基づいて、10℃との比較を行うか否かを決定してもよいが、その実施は上記例示に挙げられた実施形態とは類似しており、ここでは説明を省略する。また、実際の適用において、冷却水の温度を先に判定してから環境温度を判定してもよいし、冷却水温度と環境温度の判定を同時に行ってもよいし、このような判定順序及び手段の変更は、本発明の原理及び範囲から逸脱することなく、いずれも本発明の保護範囲内に限定されるべきである。
【０１７９】
実施例三
背景技術において提出された課題に基づいて、本発明は、冷却水温度によって加熱モジュールのオン/オフ温度を修正することを旨とする一体型洗濯乾燥機用の制御方法を提供しており、温度センサの検出誤差によるオン/オフ温度判定の正確性への影響を大きく低減し、加熱モジュールのオン/オフ温度を正確に判定でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【０１８０】
図9乃至図11を参照すると、図9は、本発明の実施例三に係る制御方法のフローチャートであり、図10は、本発明の実施例三に係る一つの実施例の制御方法のフローチャートであり、図11は、本発明の実施例三に係る一体型洗濯乾燥機のブロック概略図である。図9に示すように、本発明の制御方法は、以下のステップを含む。
【０１８１】
S1は、凝縮モジュールの冷却水温度を検出する。
【０１８２】
S2は、冷却水温度に基づいて加熱モジュールのオン/オフ温度を修正する。
【０１８３】
S3は、修正したオン/オフ温度に基づいて加熱モジュールの運行状況を制御する。
【０１８４】
好ましくは、冷却水温度は、プリセット時間閾値内で測定された冷却水温度の平均温度である。プリセット時間閾値は例えば1minであり、もちろん、プリセット時間閾値は、上記例示した時間に限定されず、当業者は、プリセット時間閾値で冷却水温度を決定する要求が満たされる限り、実際の適用においてプリセット時間閾値を柔軟に調整できる。
【０１８５】
一方、本発明はさらに、一体型洗濯乾燥機を提供しており、図11に示すように、この一体型洗濯乾燥機は、ケーシングと、ケーシング内に設置された衣類処理筒と、凝縮モジュールと、加熱モジュールと、送風モジュールと、温度センサと、温度修正モジュールと、制御モジュールとを備え、空気を加熱するための加熱モジュールは、ケーシング内に設けられる。乾燥中で発生した高温高湿の蒸気を凝縮するための凝縮モジュールはケーシング内に設けられる。加熱モジュールが送風モジュールを介して衣類処理筒に接続されることにより、加熱モジュールで加熱された熱風を衣類処理筒内に搬送して衣類処理筒内の衣類を乾燥させる。温度センサは、一体型洗濯乾燥機の電磁弁内に設けられ、冷却水温度を検出するために使用される。温度修正モジュールは、制御モジュールに設けられ、温度センサにより検出された冷却水温度に基づいて加熱モジュールのオン/オフ温度を修正するために使用される。制御モジュールは、ケーシングに設けられ、修正したオン/オフ温度に基づいて加熱モジュールの運行状況を制御する。勿論、加熱モジュール、送風モジュール、温度センサ、温度修正モジュール、及び制御モジュールの実際の取付位置は、上記例示した取付位置に限らず、当業者は、実際の適用において、加熱モジュールと、送風モジュールと、温度センサと、温度修正モジュールと、制御モジュールとの協働により、オン/オフ温度を修正できる限り、加熱モジュール、送風モジュール、温度センサ、温度修正モジュール、及び制御モジュールの実際の取付位置を柔軟に設置できる。
【０１８６】
好ましくは、凝縮モジュールは、凝縮器、凝縮管等の他の構成であり、ここでは係る説明を省略する。
【０１８７】
好ましくは、加熱モジュールは、加熱管、加熱ファン、ヒータ等の他の構成であり、ここでは係る説明を省略する。
【０１８８】
好ましくは、送風モジュールは、ファンであり、その他の構成であってもよいが、ここでは係る説明を省略する。
【０１８９】
好ましくは、冷却水温度を検出するために、温度センサは、赤外線温度センサであり、他の種類のセンサ、例えば、RFセンサなどであってもよく、なお、冷却水温度の検出方法は本発明を制限すべきではない。
【０１９０】
好ましくは、温度修正モジュールは、コンピュータソフトウェアで設計され、プリセット温度閾値に基づいて、温度センサの温度データを修正し、修正された温度データを制御モジュールに提供する。
【０１９１】
好ましくは、制御モジュールは、温度センサによって検出された冷却水温度を識別でき、検出された冷却水温度に基づいて、加熱モジュールのオン/オフ温度を修正するように温度修正モジュールを制御する。制御モジュールは、一体型洗濯乾燥機自体の制御モジュールであってもよいし、付加される制御モジュールや他の携帯端末であってもよいが、ここでは係る説明を省略する。
【０１９２】
上記ステップS2において、「冷却水温度に基づいて加熱モジュールのオン/オフ温度を修正する」というステップは、具体的には、下記内容を含む。
【０１９３】
S21は、冷却水温度とプリセット温度閾値とを比較する。
【０１９４】
S22は、冷却水温度とプリセット温度閾値との比較結果に基づいてオン/オフ温度を修正する。
【０１９５】
上記制御方法によれば、加熱モジュールのオン/オフ温度を正確に修正でき、結果として加熱モジュールのオン又はオフなどの運行状況を正確に制御でき、衣類はまだ乾燥していないのに乾燥プログラムがすでに早めに終了してしまうことが回避され、一体型洗濯乾燥機の乾燥効果が高められ、ユーザの使用体験も向上される。
【０１９６】
さらに、上記ステップS22において、「冷却水温度とプリセット温度閾値との比較結果に基づいてオン/オフ温度を修正する」というステップは、具体的に、以下の式に従ってオン/オフ温度を修正することを含む。
T=a×T1+b
そのうち、Tはオン/オフ温度、
T1は冷却水温度、
aは第1の修正係数、
bは第2の修正係数である。
なお、第1の修正係数a及び第2の修正係数bの大きさは、冷却水温度T1の大きさに依存する。
【０１９７】
上記ステップにおいて、オン/オフ温度Tは、オン温度Tonとオフ温度Toffを含み、プリセット温度閾値は、第1のプリセット温度閾値、第2のプリセット温度閾値及び第3のプリセット温度閾値を含み、そのうち、第1のプリセット温度閾値は、第2のプリセット温度閾値より小さく、第2のプリセット温度閾値は、第3のプリセット温度閾値より小さい。
【０１９８】
好ましくは、上記ステップS22において、「冷却水温度とプリセット温度閾値との比較結果に基づいてオン/オフ温度を修正する」というステップは、さらに下記内容を含む。
【０１９９】
S221は、冷却水温度T1が第1のプリセット温度閾値以下であるか否かを判定する。
【０２００】
S222は、冷却水温度T1が第1のプリセット温度閾値以下である場合、オン温度Tonとオフ温度Toffとはいずれも変化しない。
【０２０１】
S223は、冷却水温度T1が第1のプリセット温度閾値を超えるとともに第2のプリセット温度閾値以下であるか否かを判定する。
【０２０２】
S224は、冷却水温度T1が第1のプリセット温度閾値を超えるとともに第2のプリセット温度閾値以下である場合、オン温度Tonとオフ温度Toffとはいずれも、冷却水温度T1に反比例する。
【０２０３】
S225は、冷却水温度T1が第2のプリセット温度閾値を超えるとともに第3のプリセット温度閾値以下であるか否かを判定する。
【０２０４】
S226は、冷却水温度T1が第2のプリセット温度閾値を超えるとともに第3のプリセット温度閾値以下である場合、オン温度Tonとオフ温度Toffとはいずれも、冷却水温度T1に反比例する。
【０２０５】
S227は、冷却水温度T1が第3のプリセット温度閾値を超える場合、オン温度Tonとオフ温度Toffとはいずれも変化しない。
【０２０６】
具体的には、上記ステップS222において、冷却水温度T1が第1のプリセット温度閾値以下である場合、冷却水温度が比較的低く、温度センサの検出精度に影響せず、加熱モジュールをオン又はオフにする必要があるか否かを正確に判定できることを示しており、オン温度Tonとオフ温度Toffをいずれもそのまま変化しないように設置する。つまり、オン温度Tonとオフ温度Toffは、冷却水温度の変化によって変化しない。
【０２０７】
好ましくは、上記ステップS224において、冷却水温度T1が第1のプリセット温度閾値を超えるとともに第2のプリセット温度閾値以下である場合、冷却水温度が比較的高く、温度センサの検出精度に影響を及ぼし、加熱モジュールをオン又はオフにする必要があるか否かを正確に判定できないことを示しており、オン温度Tonとオフ温度Toffとはいずれも、冷却水温度T1に反比例するように設置され、冷却水温度の上昇に伴ってオン温度Tonとオフ温度Toffが低下するようになり、加熱モジュールのオン/オフ温度を下げることで、衣類はまだ乾燥していないのに乾燥プログラムがすでに早めに終了してしまうことが回避され、一体型洗濯乾燥機の乾燥効果が高められ、ユーザの使用体験も向上される。
【０２０８】
好ましくは、上記ステップS226において、冷却水温度T1が第2のプリセット温度閾値を超えるとともに第3のプリセット温度閾値以下である場合、冷却水温度がかなり高く、温度センサの検出精度に影響を及ぼし、加熱モジュールをオン又はオフにする必要があるか否かを正確に判定できないことを示しており、オン温度Tonとオフ温度Toffとはいずれも、冷却水温度T1に反比例するように設置され、冷却水温度の上昇に伴ってオン温度Tonとオフ温度Toffが低下するようになり、加熱モジュールのオン/オフ温度を下げることで、衣類はまだ乾燥していないのに乾燥プログラムがすでに早めに終了してしまうことが回避され、一体型洗濯乾燥機の乾燥効果が高められ、ユーザの使用体験も向上される。
【０２０９】
好ましくは、上記ステップS227において、冷却水温度T1が第3のプリセット温度閾値を超える場合、冷却水温度が高すぎて、温度センサの検出精度に極めて大きな影響を及ぼし、加熱モジュールをオン又はオフにする必要があるか否かを正確に判定できないことを示しており、オン温度Tonとオフ温度Toffをいずれもそのまま変化しないように設置する。つまり、オン温度Tonとオフ温度Toffが、冷却水温度の変化によって変化しないようにすることで、衣類はまだ乾燥していないのに乾燥プログラムがすでに早めに終了してしまうことが回避され、一体型洗濯乾燥機の乾燥効果が高められ、ユーザの使用体験も向上される。
【０２１０】
上記の過程で、第1のプリセット温度閾値の設定により、一体型洗濯乾燥機は異なる場合に最適な修正モードを採用できるように、オン/オフ温度の修正をどのように行うかについての結論を更に出して、加熱モジュールのオン/オフ温度を正確に判定でき、一体型洗濯乾燥機の乾燥効果が向上される。なお、第1のプリセット温度閾値は、冷却水温度の最低温度であってもよいが、例えば、第1のプリセット温度閾値が10℃である場合、オン/オフ温度の修正案は一体型洗濯乾燥機の乾燥効果を高めるために最適となる。勿論、上述した第1のプリセット温度閾値は冷却水温度の最低温度に限らず、他の温度、例えば、当業者が特定な動作状態での実験から求められた実験温度、あるいは経験的に得られた経験温度であってもよく、第1のプリセット温度閾値に決定された第1の修正係数と第2の修正係数とを選定する境界点が、オン/オフ温度を修正する要求を満たすことができる限り、任意の温度に設定してもよい。
【０２１１】
さらに、第2のプリセット温度閾値の設定により、一体型洗濯乾燥機は異なる場合に最適な修正モードを採用できるように、オン/オフ温度の修正をどのように行うかについての結論を更に出して、加熱モジュールのオン/オフ温度を正確に判定でき、一体型洗濯乾燥機の乾燥効果が向上される。なお、第2のプリセット温度閾値の設定は実際の状況に応じて柔軟に調整や設定可能で、第2のプリセット温度閾値は、例えば25℃であり、第2のプリセット温度閾値に決定された第1の修正係数と第2の修正係数とを選定する境界点が、オン/オフ温度を修正する要求を満たすことができる限り、任意の温度に設定してもよい。
【０２１２】
さらに、第3のプリセット温度閾値の設定により、一体型洗濯乾燥機は異なる場合に最適な修正モードを採用できるように、オン/オフ温度の修正をどのように行うかについての結論を更に出して、加熱モジュールのオン/オフ温度を正確に判定でき、一体型洗濯乾燥機の乾燥効果が向上される。発明者によって繰り返し試験、観測、分析、または比較することで、第3のプリセット温度閾値は、冷却水温度の最高温度であってもよいと決定されたが、例えば、第3のプリセット温度閾値が35℃である場合、オン/オフ温度の修正案は一体型洗濯乾燥機の乾燥効果を高めるために最適となる。実際の適用において、第3のプリセット温度閾値の実際値は、冷却水温度の最高温度に限らず、当業者が実験的又は経験的に得られた値であってもよい。
【０２１３】
好ましくは、修正したオン温度が修正したオフ温度より小さくなるように、オン温度に対応する第1の修正係数及び第2の修正係数の少なくとも1つと、オフ温度に対応する第1の修正係数及び第2の修正係数の少なくとも1つとは互いに異なる。
【０２１４】
好ましくは、冷却水温度T1が10℃(第1のプリセット温度閾値)以下である場合、オン温度Tonに対応する第1の修正係数aを0にし、第2の修正係数bを110にし、すなわちTon=110℃とし、オフ温度Toffに対応する第1の修正係数aを0にし、第2の修正係数bを170にし、すなわちToff=170℃とする。
【０２１５】
好ましくは、冷却水温度T1が10℃を超えるとともに25℃(第2のプリセット温度閾値)以下である場合、オン温度Tonに対応する第1の修正係数aを‐1.2にし、第2の修正係数bを122にし、すなわちTon=‐1.2×T1+122とし、オフ温度Toffに対応する第1の修正係数aを‐2にし、第2の修正係数bを170にし、すなわちToff=‐2×T1+170とする。
【０２１６】
好ましくは、冷却水温度T1が25℃を超えるとともに35℃(第3のプリセット温度閾値)以下である場合、オン温度Tonに対応する第1の修正係数aを‐2にし、第2の修正係数bを142にし、すなわちTon=‐2×T1+142とし、オフ温度Toffに対応する第1の修正係数aと第2の修正係数bを、それぞれ‐0.5と132.5℃にし、すなわちToff=‐0.5×T1+132.5とする。
【０２１７】
好ましくは、冷却水温度T1が35℃を超える場合、オン温度Tonに対応する第1の修正係数aを0にし、第2の修正係数bを72にし、すなわちTon=72℃とし、オフ温度Toffに対応する第1の修正係数aを0にし、第2の修正係数bを115にし、すなわちToff=115℃とする。
【０２１８】
もちろん、第1の修正係数の値及び第2の修正係数の値は、上記例示した値に限定されず、下記要求が満たされる限り、当業者は、実際の操作中で柔軟に調整できる。冷却水温度が第1のプリセット温度閾値以下である場合に、オン温度Tonとオフ温度Toffとはいずれも変化しない；冷却水温度が第2のプリセット温度閾値以下である場合に、オン温度Tonとオフ温度Toffとはいずれも、冷却水温度T1に反比例する；冷却水温度が第3のプリセット温度閾値以下である場合に、オン温度Tonとオフ温度Toffとはいずれも、冷却水温度T1に反比例する；冷却水温度が第3のプリセット温度閾値を超える場合に、オン温度Tonとオフ温度Toffとはいずれも変化しない。
【０２１９】
以下、図10を参照すると、図10は本発明の実施例三に係る一つの実施例の制御方法のフローチャートである。
【０２２０】
図10に示すように、ある可能な実施形態では、本発明の一体型洗濯乾燥機の制御方法の完全なるフローは下記であってもよい。
【０２２１】
S1は、凝縮モジュールの冷却水温度を検出する。
【０２２２】
S21は、冷却水温度と10℃（第1のプリセット温度閾値）とを比較する。
【０２２３】
S221は、冷却水温度が10℃以下であるか否かを判定する。
【０２２４】
S222は、冷却水温度が10℃以下である場合、加熱モジュールのオン温度Ton=110℃、オフ温度Toff=170℃とする。
【０２２５】
S223は、冷却水温度が25℃（第2のプリセット温度閾値）以下であるか否かを判定する。
【０２２６】
S224は、冷却水温度が25℃以下である場合、加熱モジュールのオン温度Ton=‐1.2×T1+122、オフ温度Toff=‐2×T1+170とする。
【０２２７】
S225は、冷却水温度が35℃（第3のプリセット温度閾値）以下であるか否かを判定する。
【０２２８】
S226は、冷却水温度が35℃以下である場合、加熱モジュールのオン温度Ton=‐2×T1+142、オフ温度Toff=‐0.5×T1+132.5とする。
【０２２９】
S227は、冷却水温度が35℃を超える場合、加熱モジュールのオン温度Ton=72℃、オフ温度Toff=115℃とする。
【０２３０】
S3は、修正したオン温度Tonとオフ温度Toffに基づいて加熱モジュールの運行状況を制御する。
【０２３１】
勿論、具体的な実施形態において、まず冷却水温度と35℃とを比較し、35℃との比較結果に基づいて、25℃または10℃との比較を行うか否かを決定してもよいが、その実施は上記例示に挙げられた実施形態とは類似しており、ここでは説明を省略する。
【０２３２】
なお、上述実施例は、本発明の好ましい実施形態の一つであり、本発明の保護範囲を限定するものではなく単に本発明の方法の原理を説明するためのものであり、実際の適用において、当業者は必要に応じて、上記機能を異なるステップに割り当て実現することができ、即ち、本発明の実施例におけるステップをさらに分解または組み合わせることができる。例えば、上述実施例のステップは、1つのステップに合併してもよいし、さらに複数のサブステップに分解して、以上説明した全部または一部の機能を実現してもよい。本発明の実施例に係るステップの名称は、各ステップを区別するためだけのものであり、本発明に対する制限とは見なされない。
【０２３３】
これで、本発明の技術案を、図面に示された好ましい実施形態と合わせて説明したが、本発明の保護範囲がこれらの具体的な実施形態に限定されないことは、当業者には容易に理解される。本発明の原理から逸脱することなく、当業者は、関連する技術的特徴に対して同等の変更又は置換を行うことができ、これらの変更又は置換後の技術案はいずれも、本発明の保護範囲に含まれる。
【図１】
2021529564.tif 000003
【図２】
2021529564.tif 000004
【図３】
2021529564.tif 000005
【図４】
2021529564.tif 000006
【図５】
2021529564.tif 000007
【図６】
2021529564.tif 000008
【図７】
2021529564.tif 000009
【図８】
2021529564.tif 000010
【図９】
2021529564.tif 000011
【図１０】
2021529564.tif 000012
【図１１】
2021529564.tif 000013
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
加熱モジュールを含む衣類処理設備用の制御方法であって、前記制御方法は、
環境温度を検出するステップと、
前記環境温度に基づいて前記加熱モジュールのオン/オフ温度を修正するステップと、
修正したオン/オフ温度に基づいて前記加熱モジュールの運行状況を制御するステップと、を含む、ことを特徴とする衣類処理設備用の制御方法。
【請求項２】
「前記環境温度に基づいて前記加熱モジュールのオン/オフ温度を修正する」というステップは、具体的に、
前記環境温度とプリセット温度閾値とを比較することと、
前記環境温度と前記プリセット温度閾値との比較結果に基づいて前記オン/オフ温度を修正することと、を含む、ことを特徴とする請求項1に記載の制御方法。
【請求項３】
「前記環境温度と前記プリセット温度閾値との比較結果に基づいて前記オン/オフ温度を修正する」というステップは、具体的に、
下記式に従って前記オン/オフ温度を修正することを含み、
T=a×T1+b
そのうち、Tは前記オン/オフ温度、T1は前記環境温度、aは第1の修正係数、bは第2の修正係数であり、また、
前記第1の修正係数aと前記第2の修正係数bの大きさは、前記環境温度T1の大きさに依存する、ことを特徴とする請求項2に記載の制御方法。
【請求項４】
凝縮モジュール及び加熱モジュールを含む衣類処理設備用の制御方法であって、前記制御方法は、
環境温度並びに前記凝縮モジュールの冷却水温度を検出するステップと、
前記環境温度並びに前記冷却水温度に基づいて前記加熱モジュールのオン/オフ温度を修正するステップと、
修正したオン/オフ温度に基づいて前記加熱モジュールの運行状況を制御するステップと、を含む、ことを特徴とする衣類処理設備用の制御方法。
【請求項５】
「前記環境温度並びに前記冷却水温度に基づいて前記加熱モジュールのオン/オフ温度を修正する」というステップは、具体的に、
前記環境温度並びに前記冷却水温度とプリセット温度閾値とを比較することと、
前記環境温度並びに前記冷却水温度と前記プリセット温度閾値との比較結果に基づいて前記オン/オフ温度を修正することと、を含む、ことを特徴とする請求項4に記載の制御方法。
【請求項６】
「前記環境温度並びに前記冷却水温度と前記プリセット温度閾値との比較結果に基づいて前記オン/オフ温度を修正する」というステップは、具体的に、
下記式に従って前記オン/オフ温度を修正することを含み、
T=a×T1+b×T2+c×T1×T2+d
そのうち、Tは前記オン/オフ温度、T1は前記環境温度、T2は前記冷却水温度、aは第1の修正係数、bは第2の修正係数、cは第3の修正係数、dは第4の修正係数であり、また、
前記第1の修正係数a、前記第2の修正係数b、前記第3の修正係数cと前記第4の修正係数dの大きさは、前記環境温度T1と前記冷却水温度T2の大きさに依存する、ことを特徴とする請求項5に記載の制御方法。
【請求項７】
凝縮モジュール及び加熱モジュールを含む衣類処理設備であって、
環境温度並びに前記凝縮モジュールの冷却水温度を検出するための温度センサと、
前記温度センサにより検出された環境温度並びに／又は冷却水温度に基づいて前記加熱モジュールのオン/オフ温度を修正するための温度修正モジュールと、
修正したオン/オフ温度に基づいて前記加熱モジュールの運行状況を制御する制御モジュールと、を更に含む、ことを特徴とする衣類処理設備。
【請求項８】
凝縮モジュール及び加熱モジュールを含む衣類処理設備用の制御方法であって、前記制御方法は、
前記凝縮モジュールの冷却水温度を検出するステップと、
前記冷却水温度に基づいて前記加熱モジュールのオン/オフ温度を修正するステップと、
修正したオン/オフ温度に基づいて前記加熱モジュールの運行状況を制御するステップと、を含む、ことを特徴とする衣類処理設備用の制御方法。
【請求項９】
「前記冷却水温度に基づいて前記加熱モジュールのオン/オフ温度を修正する」というステップは、具体的に、
前記冷却水温度とプリセット温度閾値とを比較することと、
前記冷却水温度と前記プリセット温度閾値との比較結果に基づいて前記オン/オフ温度を修正することと、を含む、ことを特徴とする請求項8に記載の制御方法。
【請求項１０】
「前記冷却水温度と前記プリセット温度閾値との比較結果に基づいて前記オン/オフ温度を修正する」というステップは、具体的に、
下記式に従って前記オン/オフ温度を修正することを含み、
T=a×T1+b
そのうち、Tは前記オン/オフ温度、T1は前記冷却水温度、aは第1の修正係数、bは第2の修正係数であり、また、
前記第1の修正係数aと前記第2の修正係数bの大きさは、前記冷却水温度T1の大きさに依存する、ことを特徴とする請求項9に記載の制御方法。
【国際調査報告】
2021529564.tif 000014
2021529564.tif 000015
2021529564.tif 000016
2021529564.tif 000017
2021529564.tif 000018
2021529564.tif 000019